(57)【要約】  本発明は、チャネルサウンディング情報フィードバック方法、ユーザ機器、および基地局を開示する。本方法は、UEによって、チャネルサウンディング情報を周期的に報告するために使用される第1の周期を決定するステップと、基地局によって送信される受信される予め設定されたダウンリンク制御情報DCIに基づいて、UEによって、第1の周期を送信周期として使用してチャネルサウンディング情報を周期的に送信するステップとを含む。指示の周期的フィードバックを低減しながら、システムのオーバーヘッドを低減することができ、構成応答を改善することができ、システムのスペクトル利用を改善することができる。
2019500814.tif 000002
【特許請求の範囲】
【請求項１】
チャネルサウンディング情報フィードバック方法であって、
ユーザ機器UEによって、チャネルサウンディング情報を周期的に報告するために使用される第1の周期を決定するステップと、
基地局によって送信される受信される予め設定されたダウンリンク制御情報DCIに基づいて、前記UEによって、前記第1の周期を送信周期として使用して前記チャネルサウンディング情報を周期的に送信するステップと
を含む、チャネルサウンディング情報フィードバック方法。
【請求項２】
前記UEによって、チャネルサウンディング情報を周期的に報告するために使用される第2の周期を決定するステップ
をさらに含み、
前記UEによって、前記第1の周期を送信周期として使用して前記チャネルサウンディング情報を周期的に送信する前記ステップが、
前記UEによって、前記第1の周期および／または前記第2の周期を送信周期として使用して前記チャネルサウンディング情報を周期的に送信するステップ
を含む、請求項1に記載の方法。
【請求項３】
前記UEが、前記基地局によって送信される前記予め設定されたダウンリンク制御情報DCIを受信する前に、前記方法が、
前記UEによって、前記第1の周期を送信周期として使用して前記チャネルサウンディング情報を周期的に送信するステップ
をさらに含み、
前記UEによって、前記第2の周期を送信周期として使用して前記チャネルサウンディング情報を周期的に送信する前記ステップが、
前記UEによって、前記第2の周期を送信周期として使用して前記チャネルサウンディング情報を周期的に送信するように切り替えるステップ
を含む、請求項2に記載の方法。
【請求項４】
前記第2の周期を使用して送信される前記チャネルサウンディング情報の優先度が、前記第1の周期を使用して送信される前記チャネルサウンディング情報の優先度よりも高く、
前記UEによって、前記第2の周期を送信周期として使用して前記チャネルサウンディング情報を周期的に送信するように切り替える前記ステップが、
前記UEが、同じ瞬間に前記第1の周期および前記第2の周期を送信周期として別々に使用して前記チャネルサウンディング情報を送信する必要がある場合に、前記瞬間においては、前記第2の周期を送信周期として使用して前記第2の周期に対応する前記チャネルサウンディング情報を送信するように前記UEによって切り替えるステップ
を含む、請求項3に記載の方法。
【請求項５】
前記UEが、前記基地局によって送信される前記DCIを受信する前に、前記方法が、
前記UEによって、前記第1の周期に関連付けられた第1のタイマおよび／または前記第2の周期に関連付けられたタイマを構成するステップ
をさらに含む、請求項2に記載の方法。
【請求項６】
前記UEによって、前記第2の周期を送信周期として使用して前記チャネルサウンディング情報を周期的に送信する前記ステップが、
前記UEによって、前記第2のタイマを起動するステップと、
前記第2のタイマが満了したときに、前記UEによって、前記第2の周期を送信周期として使用して前記チャネルサウンディング情報を周期的に送信することを停止し、前記第1の周期を送信周期として使用して前記チャネルサウンディング情報を周期的に送信するように復元するステップと
を含む、請求項5に記載の方法。
【請求項７】
前記UEによって、前記第1の周期を送信周期として使用して前記チャネルサウンディング情報を周期的に送信する前記ステップが、
前記UEによって、前記第1のタイマを起動するステップと、
前記第1のタイマが満了したときに、前記UEによって、前記第1の周期を送信周期として使用して前記チャネルサウンディング情報を周期的に送信することを停止するステップと
を含む、請求項5に記載の方法。
【請求項８】
前記UEによって、前記第1の周期および／または前記第2の周期を送信周期として使用して前記チャネルサウンディング情報を周期的に送信する前記ステップが、
前記UEによって、前記受信された予め設定されたDCIの指示情報を確認するステップであって、前記指示情報が、前記第1の周期および／または前記第2の周期を示すために使用される、ステップと、
前記指示情報が、前記第1の周期および／または前記第2の周期を開始するために使用される情報であるときに、前記UEによって、前記第1の周期および／または前記第2の周期を送信周期として使用して前記チャネルサウンディング情報を周期的に送信するステップと
を含む、請求項2に記載の方法。
【請求項９】
前記指示情報が前記チャネルサウンディング情報のフィードバックを無効にするために使用され、前記UEが前記第2の周期を送信周期として使用しているときに、前記UEによって、前記第1の周期を送信周期として使用して前記チャネルサウンディング情報を周期的に送信するように復元するステップ
をさらに含む、請求項8に記載の方法。
【請求項１０】
前記指示情報が前記チャネルサウンディング情報のフィードバックを無効にするために使用され、前記UEが前記第1の周期を送信周期として使用しているときに、前記UEによって、前記第1の周期を送信周期として使用して前記チャネルサウンディング情報を送信することを停止するステップ
をさらに含む、請求項8に記載の方法。
【請求項１１】
前記指示情報が、前記予め設定されたDCIのフィールドを使用して搬送され、
前記予め設定されたDCIの前記フィールドが、
前記DCIのダウンリンク割り当てインデックスDAIフィールド、
DCIフォーマットのFormat 1A制御シグナリングのリソースブロック割り当てResource block assignmentフィールド、ならびに
DCI Format 0および／または前記DCI Format 4のCSI RequestフィールドおよびSRS Requestフィールド
の少なくとも1つを含む、請求項8から10のいずれか一項に記載の方法。
【請求項１２】
前記UEによって、前記受信された予め設定されたDCIの指示情報を確認する前記ステップが、
前記予め設定されたDCIが前記DCI Format 1A制御シグナリングの前記Resource block assignmentフィールドであり、前記Resource block assignmentフィールドの値が所定の値である場合に、前記DCI Format 1A制御シグナリングの変調・符号化方式MCSフィールドの指定された位置情報を取得するステップと、
前記指定された位置情報を前記指示情報として使用するステップと
を含む、請求項8から10のいずれか一項に記載の方法。
【請求項１３】
前記UEによって、前記第1の周期および／または前記第2の周期を送信周期として使用して前記チャネルサウンディング情報を周期的に送信する前記ステップが、
前記予め設定されたDCIが前記DCI Format 0および／または前記DCI Format 4の前記CSI Requestフィールドおよび前記SRS Requestフィールドである場合に、前記UEによって、非周期的なチャネルサウンディング情報を1回トリガするステップと、
前記非周期的なチャネルサウンディング情報を送信した後に、前記UEによって、前記第1の周期および／または前記第2の周期を送信周期として使用して前記チャネルサウンディング情報を周期的に送信するステップと
を含む、請求項11に記載の方法。
【請求項１４】
前記チャネルサウンディング情報が、チャネルサウンディング情報指標CQIおよび／またはチャネルサウンディング基準信号SRSを含む、請求項1から13のいずれか一項に記載の方法。
【請求項１５】
チャネルサウンディング情報フィードバック方法であって、
基地局によって、予め設定されたダウンリンク制御情報DCIをユーザ機器UEに送信するステップと、
前記基地局によって、前記UEによって送信されるチャネルサウンディング情報を受信するステップであって、前記チャネルサウンディング情報が、第1の周期および／または第2の周期を送信周期として使用して前記UEによって周期的に送信され、前記第1の周期および前記第2の周期が、前記チャネルサウンディング情報を送信するために前記UEによって使用される送信周期である、ステップと
を含む、チャネルサウンディング情報フィードバック方法。
【請求項１６】
基地局によって、予め設定されたDCIをUEに送信する前記ステップが、
前記基地局によって、前記予め設定されたDCIを前記UEに送信するステップであって、前記予め設定されたDCIが、指示情報を含み、前記指示情報が、前記第1の周期および／または前記第2の周期を示すために使用される、ステップ
を含む、請求項15に記載の方法。
【請求項１７】
前記指示情報が、
前記第1の周期および／または前記少なくとも1つの第2の周期を開始するために使用される情報、ならびに
前記第1の周期および／または前記少なくとも1つの第2の周期を終了するために使用される情報
の1つを含む、請求項16に記載の方法。
【請求項１８】
前記予め設定されたDCIが、前記DCIのダウンリンク割り当てインデックスDAIフィールドを含み、
前記基地局によって、前記予め設定されたDCIを前記UEに送信する前記ステップが、
前記基地局によって、前記予め設定されたDCIを前記UEに送信するステップであって、前記DCIの前記DAIフィールドがバンドルされたフィードバック肯定応答／否定応答ACK／NACKを搬送しないとき、前記基地局が、前記チャネルサウンディング情報のフィードバックを示すために使用される前記指示情報を搬送するよう前記DAIフィールドを設定する、ステップ
を含む、請求項16または17に記載の方法。
【請求項１９】
前記予め設定されたDCIが、前記DCIフォーマットのFormat 1A制御シグナリングのリソースブロック割り当てResource block assignmentフィールドを含み、
前記基地局によって、前記予め設定されたDCIを前記UEに送信する前記ステップが、
前記基地局によって、前記DCI Format 1A制御シグナリングの前記Resource block assignmentフィールドの値を所定の値に設定するステップと、
前記基地局によって、前記DCI Format 1A制御シグナリングの変調・符号化方式MCSフィールドの指定されたビットの情報を設定するステップであって、前記所定の値および前記指定されたビットの情報が、前記第1の周期および／または前記第2の周期を示すための前記指示情報を示すために使用される、ステップと、
前記基地局によって、前記指示情報を搬送する前記DCI Format 1A制御シグナリングを前記UEに送信するステップと
を含む、請求項16または17に記載の方法。
【請求項２０】
前記予め設定されたDCIが、DCI Format 0および／または前記DCI Format 4のCSI RequestフィールドおよびSRS Requestフィールドを含み、
前記基地局によって、前記予め設定されたDCIを前記UEに送信する前記ステップが、
前記基地局によって、前記DCI Format 0および／または前記DCI Format 4制御シグナリングの前記CSI Requestフィールドおよび前記SRS Requestフィールドを所定の値に設定するステップであって、前記所定の値が、前記第1の周期および／または前記第2の周期を示すための前記指示情報である、ステップと、
前記基地局によって、前記指示情報を搬送する前記DCI Format 0および／または前記DCI Format 4制御シグナリングを前記UEに送信するステップと
を含む、請求項16または17に記載の方法。
【請求項２１】
前記チャネルサウンディング情報が、チャネルサウンディング情報指標CQIおよび／またはチャネルサウンディング基準信号SRSを含む、請求項15から20のいずれか一項に記載の方法。
【請求項２２】
ユーザ機器であって、
チャネルサウンディング情報を周期的に報告するために使用される第1の周期を決定するように構成される処理ユニットと、
基地局によって送信される予め設定されたダウンリンク制御情報DCIを受信するように構成されるトランシーバユニットと
を備え、
前記処理ユニットが、前記基地局によって送信される前記受信される予め設定されたダウンリンク制御情報DCIに基づいて、前記トランシーバユニットを使用して、前記第1の周期を送信周期として使用して前記チャネルサウンディング情報を周期的に送信するようにさらに構成される、
ユーザ機器。
【請求項２３】
前記処理ユニットが、チャネルサウンディング情報を周期的に報告するために使用される第2の周期を決定し、前記トランシーバユニットを使用して、前記第1の周期および／または前記第2の周期を送信周期として使用して前記チャネルサウンディング情報を周期的に送信するようにさらに構成される、
請求項22に記載のユーザ機器。
【請求項２４】
前記処理ユニットが、前記予め設定されたDCIが受信される前に、前記トランシーバユニットを使用して、前記第1の周期を送信周期として使用して前記チャネルサウンディング情報を周期的に送信し、前記予め設定されたDCIが受信された後、前記第2の周期を送信周期として使用して前記チャネルサウンディング情報を周期的に送信するように切り替えるようさらに構成される、請求項23に記載のユーザ機器。
【請求項２５】
前記第2の周期を使用して送信される前記チャネルサウンディング情報の優先度が、前記第1の周期を使用して送信される前記チャネルサウンディング情報の優先度よりも高く、
前記処理ユニットが、前記UEが、同じ瞬間に前記第1の周期および前記第2の周期を送信周期として別々に使用して前記チャネルサウンディング情報を送信する必要がある場合、前記トランシーバユニットを使用して、前記瞬間においては、前記第2の周期を送信周期として使用して前記第2の周期に対応する前記チャネルサウンディング情報を送信するように前記UEによって切り替えるよう特に構成される、
請求項24に記載のユーザ機器。
【請求項２６】
前記処理ユニットが、前記第1の周期に関連付けられた第1のタイマおよび／または前記第2の周期に関連付けられたタイマを構成するようにさらに構成される、請求項23に記載のユーザ機器。
【請求項２７】
前記処理ユニットが、前記第2のタイマを起動し、前記第2のタイマが満了したときに、前記第2の周期を送信周期として使用して前記チャネルサウンディング情報を周期的に送信することを停止し、前記第1の周期を送信周期として使用して前記チャネルサウンディング情報を周期的に送信するように復元するよう特に構成される、請求項26に記載のユーザ機器。
【請求項２８】
前記処理ユニットが、前記第1のタイマを起動し、前記第1のタイマが満了したときに、前記第1の周期を送信周期として使用して前記チャネルサウンディング情報を周期的に送信することを停止するように特に構成される、請求項26に記載のユーザ機器。
【請求項２９】
前記処理ユニットが、前記受信された予め設定されたDCIの指示情報を確認し、前記指示情報が、前記第1の周期および／または前記第2の周期を示すために使用され、前記指示情報が前記第1の周期および／または前記第2の周期を開始するために使用される情報であるとき、前記トランシーバユニットを使用して、前記第1の周期および／または前記第2の周期を送信周期として使用して前記チャネルサウンディング情報を周期的に送信するように特に構成される、請求項23に記載のユーザ機器。
【請求項３０】
前記処理ユニットが、前記指示情報が前記チャネルサウンディング情報のフィードバックを無効にするために使用され、前記UEが前記第2の周期を送信周期として使用しているとき、前記トランシーバユニットを使用して、前記第1の周期を送信周期として使用して前記チャネルサウンディング情報を周期的に送信するように復元するよう特に構成される、請求項29に記載のユーザ機器。
【請求項３１】
前記処理ユニットが、前記指示情報が前記チャネルサウンディング情報のフィードバックを無効にするために使用され、前記UEが前記第1の周期を送信周期として使用しているとき、前記第1の周期を送信周期として使用して前記チャネルサウンディング情報を送信することを停止するようにさらに構成される、請求項29に記載のユーザ機器。
【請求項３２】
前記トランシーバユニットによって受信される前記予め設定されたDCIが、前記DCIのダウンリンク割り当てインデックスDAIフィールド、DCIフォーマットのFormat 1A制御シグナリングのリソースブロック割り当てResource block assignmentフィールド、ならびにDCI Format 0および／または前記DCI Format 4のCSI RequestフィールドおよびSRS Requestフィールドの少なくとも1つを含む、請求項22から31のいずれか一項に記載のユーザ機器。
【請求項３３】
前記処理ユニットが、前記予め設定されたDCIが前記DCI Format 1A制御シグナリングの前記Resource block assignmentフィールドであり、前記Resource block assignmentフィールドの値が所定の値である場合、前記DCI Format 1A制御シグナリングの変調・符号化方式MCSフィールドの指定された位置情報を取得し、前記指定された位置情報を前記指示情報として使用するように特に構成される、請求項29から31のいずれか一項に記載のユーザ機器。
【請求項３４】
前記処理ユニットが、前記予め設定されたDCIが前記DCI Format 0および／または前記DCI Format 4の前記CSI Requestフィールドおよび前記SRS Requestフィールドである場合、前記UEによって、非周期的なチャネルサウンディング情報を1回トリガし、前記非周期的なチャネルサウンディング情報が送信された後、前記UEによって、前記第1の周期および／または前記第2の周期を送信周期として使用して前記チャネルサウンディング情報を周期的に送信するように特に構成される、請求項32に記載のユーザ機器。
【請求項３５】
前記トランシーバユニットを使用して前記処理ユニットによって送信される前記チャネルサウンディング情報が、チャネルサウンディング情報指標CQIおよび／またはチャネルサウンディング基準信号SRSを含む、請求項22から34のいずれか一項に記載のユーザ機器。
【請求項３６】
処理ユニットおよびトランシーバユニットを備える基地局であって、
前記処理ユニットが、ダウンリンク制御情報DCIを予め設定し、前記トランシーバユニットを使用して、前記予め設定されたダウンリンク制御情報DCIをユーザ機器UEに送信し、前記UEによって送信されるチャネルサウンディング情報を受信し、前記チャネルサウンディング情報が、第1の周期および／または第2の周期を送信周期として使用して前記UEによって周期的に送信され、前記第1の周期および前記第2の周期が、前記チャネルサウンディング情報を送信するために前記UEによって使用される送信周期である、ように構成される、
基地局。
【請求項３７】
前記処理ユニットが、前記トランシーバユニットを使用して、前記予め設定されたDCIを前記UEに送信し、前記予め設定されたDCIが、指示情報を含み、前記指示情報が、前記第1の周期および／または前記第2の周期を示すために使用される、ように特に構成される、請求項36に記載の基地局。
【請求項３８】
前記トランシーバユニットによって送信される前記指示情報が、前記第1の周期および／または前記少なくとも1つの第2の周期を開始するために使用される情報ならびに前記第1の周期および／または前記少なくとも1つの第2の周期を終了するために使用される情報の1つを含む、請求項37に記載の基地局。
【請求項３９】
前記予め設定されたDCIが、前記DCIのダウンリンク割り当てインデックスDAIフィールドを含み、
前記処理ユニットが、前記予め設定されたDCIを前記UEに送信し、前記DCIの前記DAIフィールドがバンドルされたフィードバック肯定応答／否定応答ACK／NACKを搬送しないとき、前記基地局が、前記チャネルサウンディング情報の前記フィードバックを示すために使用される前記指示情報を搬送するよう前記DAIフィールドを設定する、ように特に構成される、
請求項37または38に記載の基地局。
【請求項４０】
前記予め設定されたDCIが、前記DCIフォーマットのFormat 1A制御シグナリングのリソースブロック割り当てResource block assignmentフィールドを含み、
前記処理ユニットが、前記DCI Format 1A制御シグナリングの前記Resource block assignmentフィールドの値を所定の値に設定し、前記DCI Format 1A制御シグナリングの変調・符号化方式MCSフィールドの指定されたビットの情報を設定し、前記所定の値および前記指定されたビットの情報が、前記第1の周期および／または前記第2の周期を示すための前記指示情報を示すために使用され、前記指示情報を搬送する前記DCI Format 1A制御シグナリングを前記UEに送信するように特に構成される、
請求項37または3w8に記載の基地局。
【請求項４１】
前記予め設定されたDCIが、DCI Format 0および／または前記DCI Format 4のCSI RequestフィールドおよびSRS Requestフィールドを含み、
前記処理ユニットが、前記DCI Format 0および／またはDCI Format 4制御シグナリングの前記CSI Requestフィールドおよび前記SRS Requestフィールドを所定の値に設定し、前記所定の値が、前記第1の周期および／または前記第2の周期を示すための前記指示情報であり、前記指示情報を搬送する前記DCI Format 0および／または前記DCI Format 4制御シグナリングを前記UEに送信するように特に構成される、
請求項37または38に記載の基地局。
【請求項４２】
前記トランシーバユニットを使用して受信される前記チャネルサウンディング情報が、チャネルサウンディング情報指標CQIおよび／またはチャネルサウンディング基準信号SRSを含む、請求項36から40のいずれか一項に記載の基地局。
【発明の詳細な説明】
【技術分野】
【０００１】
本出願は、2015年12月31日に中国特許庁に提出された、「チャネルサウンディング情報フィードバック方法、ユーザ機器、および基地局」と題する中国特許出願第201511033853．6号に対する優先権を主張するものであり、また、その全体は、参照により本明細書に組み込まれる。
【０００２】
本発明は、通信技術の分野に関し、詳細には、チャネルサウンディング情報フィードバック方法、ユーザ機器、および基地局に関する。
【背景技術】
【０００３】
ロング・ターム・エボリューション（Long Term Evolution、LTE）通信システムにおいて、チャネルサウンディング情報は、ダウンリンク送信チャネルをサウンディングし、サウンディング結果を量子化することによってユーザ機器（user equipment、UE）によって取得され、ユーザ機器によってベース基地局に報告され、これにより、基地局は、ダウンリンク送信の干渉ステータスを取得することができる。
【０００４】
チャネルサウンディング情報は、チャネル品質指標（Channel Quality Indicator、CQI）およびチャネルサウンディング基準信号（Sounding Reference Signal、SRS）を含む。UEは、CQIを取得するためにダウンリンク送信チャネルをサウンディングし、アップリンクチャネルで基地局にCQIをフィードバックする。基地局は、フィードバックされたCQIに基づいて、UEの変調・符号化方式を決定する。さらに、基地局は、マルチ・トランシーバ・ユニット・システムのチャネル行列を取得するために、アップリンクSRSおよびアップリンクチャネルとダウンリンクチャネルとの相反性を使用してダウンリンクチャネルのチャネル状態情報を推定する。チャネル行列に基づいて、基地局においてプリコーディング技術を使用して、複数のUEの同周波数および同時送信を実施することができ、これにより、システムのスペクトル利用が改善される。
【０００５】
現在の規格では、CQIおよびSRSのフィードバックには、周期的フィードバックと非周期的フィードバックの2つのタイプがある。
【０００６】
周期的なCQIフィードバックの場合、物理アップリンク制御チャネル（Physical Uplink Control Channel、PUCCH）を使用してCQIが搬送され、フィードバックの時間間隔は、上位層の無線リソース制御（Radio Resource Control、RRC）シグナリングを使用して準静的な構成によって実施される。非周期的なCQIフィードバックの場合、物理アップリンク共有チャネル（Physical Uplink Shared Channel、PUSCH）を使用してCQIが搬送される。フィードバックは、ダウンリンク制御情報（Downlink Control Information、DCI）を受信することによってトリガされる。UEがトリガされるたびに、UEは、PUSCHを使用して、すべてのサウンディングされたCQIを一度にフィードバックする。SRSの周期的フィードバックの周波数は、上位層のRRCを使用して設定される。SRSの非周期的フィードバックは、DCIを受信することによってトリガされる。各トリガの後、UEは、構成されたサブフレームの最後のシンボルでSRSを1回だけ送信する。
【０００７】
将来の進化したセルラーネットワークシステムでは、基地局によって取得されるチャネルサウンディング情報に、非常に高い要求が課せられる。すなわち、チャネルサウンディング情報のサウンディング周波数を高くする必要がある。したがって、CQIまたはSRSのフィードバック間隔を短くする必要がある。しかしながら、非周期的フィードバックの回数を増やすことによって、またはRRC構成を使用してフィードバック周波数を動的に変更することは、オーバーヘッドが増加し、構成応答が適時に行われず、結果としてシステムの全体的なスペクトル利用が影響を受けるという問題につながる。
【発明の概要】
【０００８】
本発明は、指示の周期的フィードバックを低減しながら、システムのオーバーヘッドを低減し、構成応答を改善し、システムのスペクトル利用を改善するためにチャネルサウンディング情報フィードバック方法、ユーザ機器、および基地局を提供する。
【課題を解決するための手段】
【０００９】
第1の態様によれば、チャネルサウンディング情報フィードバック方法であって、ユーザ機器UEによって、チャネルサウンディング情報を周期的に報告するために使用される第1の周期を決定するステップと、基地局によって送信される受信される予め設定されたダウンリンク制御情報DCIに基づいて、UEによって、第1の周期を送信周期として使用してチャネルサウンディング情報を周期的に送信するステップとを含む、チャネルサウンディング情報フィードバック方法が提供される。
【００１０】
第1の態様に関連して、第1の態様の第1の可能な実施態様では、本方法は、UEによって、チャネルサウンディング情報を周期的に報告するために使用される第2の周期を決定するステップをさらに含み、UEによって、第1の周期を送信周期として使用してチャネルサウンディング情報を周期的に送信するステップが、UEによって、第1の周期および／または第2の周期を送信周期として使用してチャネルサウンディング情報を周期的に送信するステップを含む。
【００１１】
第1の態様の第1の可能な実施態様に関連して、第1の態様の第2の可能な実施態様では、UEが、基地局によって送信される予め設定されたダウンリンク制御情報DCIを受信する前に、本方法は、UEによって、第1の周期を送信周期として使用してチャネルサウンディング情報を周期的に送信するステップをさらに含み、UEによって、第2の周期を送信周期として使用してチャネルサウンディング情報を周期的に送信するステップが、UEによって、第2の周期を送信周期として使用してチャネルサウンディング情報を周期的に送信するように切り替えるステップを含む。
【００１２】
第1の態様の第2の可能な実施態様に関連して、第1の態様の第3の可能な実施態様では、第2の周期を使用して送信されるチャネルサウンディング情報の優先度が、第1の周期を使用して送信されるチャネルサウンディング情報の優先度よりも高く、UEによって、第2の周期を送信周期として使用してチャネルサウンディング情報を周期的に送信するように切り替えるステップが、UEが、同じ瞬間に第1の周期および第2の周期を送信周期として別々に使用してチャネルサウンディング情報を送信する必要がある場合に、その瞬間においては、第2の周期を送信周期として使用して第2の周期に対応するチャネルサウンディング情報を送信するようにUEによって切り替えるステップを含む。
【００１３】
第1の態様の第1の可能な実施態様に関連して、第1の態様の第4の可能な実施態様では、UEが、基地局によって送信されるDCIを受信する前に、本方法は、UEによって、第1の周期に関連付けられた第1のタイマおよび／または第2の周期に関連付けられたタイマを構成するステップをさらに含む。
【００１４】
第1の態様の第4の可能な実施態様に関連して、第1の態様の第5の可能な実施態様では、UEによって、第2の周期を送信周期として使用してチャネルサウンディング情報を周期的に送信するステップが、UEによって、第2のタイマを起動するステップと、第2のタイマが満了したときに、UEによって、第2の周期を送信周期として使用してチャネルサウンディング情報を周期的に送信することを停止し、第1の周期を送信周期として使用してチャネルサウンディング情報を周期的に送信するように復元するステップとを含む。
【００１５】
第1の態様の第4の可能な実施態様に関連して、第1の態様の第6の可能な実施態様では、UEによって、第1の周期を送信周期として使用してチャネルサウンディング情報を周期的に送信するステップが、UEによって、第1のタイマを起動するステップと、第1のタイマが満了したときに、UEによって、第1の周期を送信周期として使用してチャネルサウンディング情報を周期的に送信することを停止するステップとを含む。
【００１６】
第1の態様の第1の可能な実施態様に関連して、第1の態様の第7の可能な実施態様では、UEによって、第1の周期および／または第2の周期を送信周期として使用してチャネルサウンディング情報を周期的に送信するステップが、UEによって、受信された予め設定されたDCIの指示情報を確認するステップであって、指示情報が、第1の周期および／または第2の周期を示すために使用される、ステップと、指示情報が、第1の周期および／または第2の周期を開始するために使用される情報であるときに、UEによって、第1の周期および／または第2の周期を送信周期として使用してチャネルサウンディング情報を周期的に送信するステップとを含む。
【００１７】
第1の態様の第7の可能な実施態様に関連して、第1の態様の第8の可能な実施態様では、本方法は、指示情報がチャネルサウンディング情報のフィードバックを無効にするために使用され、UEが第2の周期を送信周期として使用しているときに、UEによって、第1の周期を送信周期として使用してチャネルサウンディング情報を周期的に送信するように復元するステップをさらに含む。
【００１８】
第1の態様の第7の可能な実施態様に関連して、第1の態様の第9の可能な実施態様では、本方法は、指示情報がチャネルサウンディング情報のフィードバックを無効にするために使用され、UEが第1の周期を送信周期として使用しているときに、UEによって、第1の周期を送信周期として使用してチャネルサウンディング情報を送信することを停止するステップをさらに含む。
【００１９】
第1の態様の第7の可能な実施態様〜第1の態様の第9の可能な実施態様のいずれかに関連して、第1の態様の第10の可能な実施態様では、指示情報が、予め設定されたDCIのフィールドを使用して搬送され、予め設定されたDCIのフィールドが、DCIのダウンリンク割り当てインデックスDAIフィールド、DCIフォーマットのFormat 1A制御シグナリングのリソースブロック割り当てResource Block Assignmentフィールド、ならびにDCI Format 0および／またはDCI Format 4のCSI RequestフィールドおよびSRS Requestフィールドの少なくとも1つを含む。
【００２０】
第1の態様の第7の可能な実施態様〜第1の態様の第9の可能な実施態様のいずれかに関連して、第1の態様の第11の可能な実施態様では、UEによって、受信された予め設定されたDCIの指示情報を確認するステップが、予め設定されたDCIがDCI Format 1A制御シグナリングのResource Block Assignmentフィールドであり、Resource Block Assignmentフィールドの値が所定の値である場合に、DCI Format 1A制御シグナリングの変調・符号化方式MCSフィールドの指定された位置情報を取得するステップと、指定された位置情報を指示情報として使用するステップとを含む。
【００２１】
第1の態様の第10の可能な実施態様に関連して、第1の態様の第12の可能な実施態様では、UEによって、第1の周期および／または第2の周期を送信周期として使用してチャネルサウンディング情報を周期的に送信するステップが、予め設定されたDCIがDCI Format 0および／またはDCI Format 4のCSI RequestフィールドおよびSRS Requestフィールドである場合に、UEによって、非周期的なチャネルサウンディング情報を1回トリガするステップと、非周期的なチャネルサウンディング情報を送信した後に、UEによって、第1の周期および／または第2の周期を送信周期として使用してチャネルサウンディング情報を周期的に送信するステップとを含む。
【００２２】
第1の態様〜第1の態様の第12の可能な実施態様のいずれかに関連して、第1の態様の第13の可能な実施態様では、チャネルサウンディング情報が、チャネルサウンディング情報指標CQIおよび／またはチャネルサウンディング基準信号SRSを含む。
【００２３】
第2の態様によれば、チャネルサウンディング情報フィードバック方法であって、基地局によって、予め設定されたダウンリンク制御情報DCIをユーザ機器UEに送信するステップと、基地局によって、UEによって送信されるチャネルサウンディング情報を受信するステップであって、チャネルサウンディング情報が、第1の周期および／または第2の周期を送信周期として使用してUEによって周期的に送信され、第1の周期および第2の周期が、チャネルサウンディング情報を送信するためにUEによって使用される送信周期である、ステップとを含む、チャネルサウンディング情報フィードバック方法が提供される。
【００２４】
第2の態様に関連して、第2の態様の第1の可能な実施態様では、基地局によって、予め設定されたDCIをUEに送信するステップが、基地局によって、予め設定されたDCIをUEに送信するステップであって、予め設定されたDCIが、指示情報を含み、指示情報が、第1の周期および／または第2の周期を示すために使用される、ステップを含む。
【００２５】
第2の態様の第1の可能な実施態様に関連して、第2の態様の第2の可能な実施態様では、指示情報が、第1の周期および／または少なくとも1つの第2の周期を開始するために使用される情報ならびに第1の周期および／または少なくとも1つの第2の周期を終了するために使用される情報の1つを含む。
【００２６】
第2の態様の第1または第2の可能な実施態様に関連して、第2の態様の第3の可能な実施態様では、予め設定されたDCIが、DCIのダウンリンク割り当てインデックスDAIフィールドを含み、基地局によって、予め設定されたDCIをUEに送信するステップが、基地局によって、予め設定されたDCIをUEに送信するステップであって、DCIのDAIフィールドがバンドルされたフィードバック肯定応答／否定応答ACK／NACKを搬送しないとき、基地局が、チャネルサウンディング情報のフィードバックを示すために使用される指示情報を搬送するようDAIフィールドを設定する、ステップを含む。
【００２７】
第2の態様の第1または第2の可能な実施態様に関連して、第2の態様の第4の可能な実施態様では、予め設定されたDCIが、DCIフォーマットのFormat 1A制御シグナリングのリソースブロック割り当てResource Block Assignmentフィールドを含み、基地局によって、予め設定されたDCIをUEに送信するステップが、基地局によって、DCI Format 1A制御シグナリングのResource Block Assignmentフィールドの値を所定の値に設定するステップと、基地局によって、DCI Format 1A制御シグナリングの変調・符号化方式MCSフィールドの指定されたビットの情報を設定するステップであって、所定の値および指定されたビットの情報が、第1の周期および／または第2の周期を示すための指示情報を示すために使用される、ステップと、基地局によって、指示情報を搬送するDCI Format 1A制御シグナリングをUEに送信するステップとを含む。
【００２８】
第2の態様の第1または第2の可能な実施態様に関連して、第2の態様の第5の可能な実施態様では、予め設定されたDCIが、DCI Format 0および／またはDCI Format 4のCSI RequestフィールドおよびSRS Requestフィールドを含み、基地局によって、予め設定されたDCIをUEに送信するステップが、基地局によって、DCI Format 0および／またはDCI Format 4制御シグナリングのCSI RequestフィールドおよびSRS Requestフィールドを所定の値に設定するステップであって、所定の値が、第1の周期および／または第2の周期を示すための指示情報である、ステップと、基地局によって、指示情報を搬送するDCI Format 0および／またはDCI Format 4制御シグナリングをUEに送信するステップとを含む。
【００２９】
第2の態様〜第2の態様の第5の可能な実施態様に関連して、第2の態様の第6の可能な実施態様では、チャネルサウンディング情報が、チャネルサウンディング情報指標CQIおよび／またはチャネルサウンディング基準信号SRSを含む。
【００３０】
第3の態様によれば、ユーザ機器であって、チャネルサウンディング情報を周期的に報告するために使用される第1の周期を決定するように構成される処理ユニットと、基地局によって送信される予め設定されたダウンリンク制御情報DCIを受信するように構成されるトランシーバユニットとを含み、処理ユニットが、基地局によって送信される受信される予め設定されたダウンリンク制御情報DCIに基づいて、トランシーバユニットを使用して、第1の周期を送信周期として使用してチャネルサウンディング情報を周期的に送信するようにさらに構成される、ユーザ機器が提供される。
【００３１】
第3の態様に関連して、第3の態様の第1の可能な実施態様では、処理ユニットは、チャネルサウンディング情報を周期的に報告するために使用される第2の周期を決定し、トランシーバユニットを使用して、第1の周期および／または第2の周期を送信周期として使用してチャネルサウンディング情報を周期的に送信するようにさらに構成される。
【００３２】
第3の態様の第1の可能な実施態様に関連して、第3の態様の第2の可能な実施態様では、処理ユニットは、予め設定されたDCIが受信される前に、トランシーバユニットを使用して、第1の周期を送信周期として使用してチャネルサウンディング情報を周期的に送信し、予め設定されたDCIが受信された後、第2の周期を送信周期として使用してチャネルサウンディング情報を周期的に送信するように切り替えるようさらに構成される。
【００３３】
第3の態様の第2の可能な実施態様に関連して、第3の態様の第3の可能な実施態様では、第2の周期を使用して送信されるチャネルサウンディング情報の優先度が、第1の周期を使用して送信されるチャネルサウンディング情報の優先度よりも高く、処理ユニットが、UEが、同じ瞬間に第1の周期および第2の周期を送信周期として別々に使用してチャネルサウンディング情報を送信する必要がある場合、トランシーバユニットを使用して、その瞬間においては、第2の周期を送信周期として使用して第2の周期に対応するチャネルサウンディング情報を送信するようにUEによって切り替えるよう特に構成される。
【００３４】
第3の態様の第1の可能な実施態様に関連して、第3の態様の第4の可能な実施態様では、処理ユニットは、第1の周期に関連付けられた第1のタイマおよび／または第2の周期に関連付けられたタイマを構成するようにさらに構成される。
【００３５】
第3の態様の第4の可能な実施態様に関連して、第3の態様の第5の可能な実施態様では、処理ユニットは、第2のタイマを起動し、第2のタイマが満了したときに、第2の周期を送信周期として使用してチャネルサウンディング情報を周期的に送信することを停止し、第1の周期を送信周期として使用してチャネルサウンディング情報を周期的に送信するように復元するよう特に構成される。
【００３６】
第3の態様の第4の可能な実施態様に関連して、第3の態様の第6の可能な実施態様では、処理ユニットは、第1のタイマを起動し、第1のタイマが満了したときに、第1の周期を送信周期として使用してチャネルサウンディング情報を周期的に送信することを停止するように特に構成される。
【００３７】
第3の態様の第1の可能な実施態様に関連して、第3の態様の第7の可能な実施態様では、処理ユニットは、受信された予め設定されたDCIの指示情報を確認し、指示情報が、第1の周期および／または第2の周期を示すために使用され、指示情報が第1の周期および／または第2の周期を開始するために使用される情報であるとき、トランシーバユニットを使用して、第1の周期および／または第2の周期を送信周期として使用してチャネルサウンディング情報を周期的に送信するように特に構成される。
【００３８】
第3の態様の第7の可能な実施態様に関連して、第3の態様の第8の可能な実施態様では、ユーザ機器が、指示情報がチャネルサウンディング情報のフィードバックを無効にするために使用され、UEが第2の周期を送信周期として使用しているときに、トランシーバユニットを使用して、第1の周期を送信周期として使用してチャネルサウンディング情報を周期的に送信するように復元するよう特に構成される処理ユニットをさらに含む。
【００３９】
第3の態様の第7の可能な実施態様に関連して、第3の態様の第9の可能な実施態様では、処理ユニットは、指示情報がチャネルサウンディング情報のフィードバックを無効にするために使用され、UEが第1の周期を送信周期として使用しているとき、第1の周期を送信周期として使用してチャネルサウンディング情報を送信することを停止するようにさらに構成される。
【００４０】
第3の態様〜第3の態様の第9の可能な実施態様のいずれかに関連して、第3の態様の第10の可能な実施態様では、指示情報が、予め設定されたDCIのフィールドを使用して搬送され、トランシーバユニットによって受信される予め設定されたDCIのフィールドが、DCIのダウンリンク割り当てインデックスDAIフィールド、DCIフォーマットのFormat 1A制御シグナリングのリソースブロック割り当てResource Block Assignmentフィールド、ならびにDCI Format 0および／またはDCI Format 4のCSI RequestフィールドおよびSRS Requestフィールドの少なくとも1つを含む。
【００４１】
第3の態様の第7の可能な実施態様〜第3の態様の第9の可能な実施態様のいずれかに関連して、第3の態様の第11の可能な実施態様では、処理ユニットは、予め設定されたDCIがDCI Format 1A制御シグナリングのResource Block Assignmentフィールドであり、Resource Block Assignmentフィールドの値が所定の値である場合、DCI Format 1A制御シグナリングの変調・符号化方式MCSフィールドの指定された位置情報を取得し、指定された位置情報を指示情報として使用するように特に構成される。
【００４２】
第3の態様の第10の可能な実施態様に関連して、第3の態様の第12の可能な実施態様では、処理ユニットは、予め設定されたDCIがDCI Format 0および／またはDCI Format 4のCSI RequestフィールドおよびSRS Requestフィールドである場合、UEによって、非周期的なチャネルサウンディング情報を1回トリガし、非周期的なチャネルサウンディング情報が送信された後、UEによって、第1の周期および／または第2の周期を送信周期として使用してチャネルサウンディング情報を周期的に送信するように特に構成される。
【００４３】
第3の態様〜第3の態様の第12の可能な実施態様のいずれかに関連して、第3の態様の第13の可能な実施態様では、トランシーバユニットを使用して処理ユニットによって送信されるチャネルサウンディング情報は、チャネルサウンディング情報指標CQIおよび／またはチャネルサウンディング基準信号SRSを含む。
【００４４】
第4の態様によれば、処理ユニットおよびトランシーバユニットを含む基地局が提供される。処理ユニットは、ダウンリンク制御情報DCIを予め設定し、トランシーバユニットを使用して、予め設定されたダウンリンク制御情報DCIをユーザ機器UEに送信し、UEによって送信されるチャネルサウンディング情報を受信し、チャネルサウンディング情報が、第1の周期および／または第2の周期を送信周期として使用してUEによって周期的に送信され、第1の周期および第2の周期が、チャネルサウンディング情報を送信するためにUEによって使用される送信周期である、ように構成される。
【００４５】
第4の態様に関連して、第4の態様の第1の可能な実施態様では、処理ユニットは、トランシーバユニットを使用して、予め設定されたDCIをUEに送信し、予め設定されたDCIが、指示情報を含み、指示情報が、第1の周期および／または第2の周期を示すために使用される、ように特に構成される。
【００４６】
第4の態様の第1の可能な実施態様に関連して、第4の態様の第2の可能な実施態様では、トランシーバユニットによって送信される指示情報は、第1の周期および／または少なくとも1つの第2の周期を開始するために使用される情報ならびに第1の周期および／または少なくとも1つの第2の周期を終了するために使用される情報の1つを含む。
【００４７】
第4の態様の第1または第2の可能な実施態様に関連して、第4の態様の第3の可能な実施態様では、予め設定されたDCIは、DCIのダウンリンク割り当てインデックスDAIフィールドを含み、処理ユニットは、予め設定されたDCIをUEに送信し、DCIのDAIフィールドがバンドルされたフィードバック肯定応答／否定応答ACK／NACKを搬送しないとき、基地局が、チャネルサウンディング情報のフィードバックを示すために使用される指示情報を搬送するようDAIフィールドを設定する、ように特に構成される。
【００４８】
第4の態様の第1または第2の可能な実施態様に関連して、第4の態様の第4の可能な実施態様では、予め設定されたDCIが、DCIフォーマットのFormat 1A制御シグナリングのリソースブロック割り当てResource Block Assignmentフィールドを含み、処理ユニットが、DCI Format 1A制御シグナリングのResource Block Assignmentフィールドの値を所定の値に設定し、DCI Format 1A制御シグナリングの変調・符号化方式MCSフィールドの指定されたビットの情報を設定し、所定の値および指定されたビットの情報が、第1の周期および／または第2の周期を示すための指示情報を示すために使用され、指示情報を搬送するDCI Format 1A制御シグナリングをUEに送信するように特に構成される。
【００４９】
第4の態様の第1または第2の可能な実施態様に関連して、第4の態様の第5の可能な実施態様では、予め設定されたDCIが、DCI Format 0および／またはDCI Format 4のCSI RequestフィールドおよびSRS Requestフィールドを含み、処理ユニットが、DCI Format 0および／またはDCI Format 4制御シグナリングのCSI RequestフィールドおよびSRS Requestフィールドを所定の値に設定し、所定の値が、第1の周期および／または第2の周期を示すための指示情報であり、指示情報を搬送するDCI Format 0および／またはDCI Format 4制御シグナリングをUEに送信するように特に構成される。
【００５０】
第4の態様〜第4の態様の第5の可能な実施態様に関連して、第4の態様の第6の可能な実施態様では、トランシーバユニットによって受信されるチャネルサウンディング情報は、チャネルサウンディング情報指標CQIおよび／またはチャネルサウンディング基準信号SRSを含む。
【００５１】
第5の態様によれば、トランシーバおよびプロセッサを含むユーザ機器が提供される。トランシーバは、上記のトランシーバユニットの機能を実施することができ、トランシーバは、インタフェースを含む。プロセッサは、上記のトランシーバユニットの機能を実施することができる。詳細は再度説明しない。
【００５２】
ユーザ機器は、データおよびプログラムコードを格納するように構成されるメモリをさらに含んでもよい。プロセッサは、メモリからプログラムコードを取得し、取得したプログラムコードに基づいて対応する手順を実行することができる。
【００５３】
第6の態様によれば、トランシーバおよびプロセッサを含む基地局が提供される。トランシーバは、上記のトランシーバユニットの機能を実施することができ、トランシーバは、インタフェースを含む。プロセッサは、上記のトランシーバユニットの機能を実施することができる。詳細は再度説明しない。
【００５４】
基地局は、データおよびプログラムコードを格納するように構成されるメモリをさらに含んでもよい。プロセッサは、メモリからプログラムコードを取得し、取得したプログラムコードに基づいて対応する手順を実行することができる。
【００５５】
上記の技術的解決策によれば、端末側では、UEは、チャネルサウンディング情報を周期的に報告するために使用される第1の周期を決定し、UEは、基地局によって送信される受信される予め設定されたDCIに基づいて、第1の周期を送信周期として使用してチャネルサウンディング情報を周期的に送信する。基地局側では、基地局は、予め設定されたDCIをユーザ機器UEに送信し、基地局は、UEによって送信されるチャネルサウンディング情報を受信する。指示の周期的フィードバックを低減しながら、システムのオーバーヘッドを低減することができ、構成応答を改善することができ、システムのスペクトル利用を改善することができる。
【図面の簡単な説明】
【００５６】
【図１】本発明の実施形態1によるチャネルサウンディング情報フィードバック方法のフローチャートである。
【図２】本発明の実施形態1による上位層RRCシグナリングを使用することによる構成時間系列の概略図である。
【図３】本発明の実施形態1による、DCIを使用する周期的フィードバックを示す概略図である。
【図４】本発明の実施形態2によるチャネルサウンディング情報フィードバック方法のフローチャートである。
【図５】本発明の実施形態3によるチャネルサウンディング情報フィードバック方法のフローチャートである。
【図６】本発明の実施形態4によるチャネルサウンディング情報フィードバック方法のフローチャートである。
【図７】本発明の実施形態8によるユーザ機器の構成要素の概略図である。
【図８】本発明の実施形態9による基地局の構成要素の概略図である。
【発明を実施するための形態】
【００５７】
本発明の技術的解決策は、GSM（登録商標）システム、符号分割多元接続（CDMA、Code Division Multiple Access）システム、広帯域符号分割多元接続（WCDMA（登録商標）、Wideband Code Division Multiple Access Wireless）システム、汎用パケット無線サービス（GPRS、General Packet Radio Service）システム、およびロング・ターム・エボリューション（LTE、Long Term Evolution）システムなどの様々な通信システムに適用可能であり得る。
【００５８】
モバイル端末（Mobile Terminal）およびモバイルユーザ機器などとも呼ばれるユーザ機器（UE、User Equipment）は、無線アクセスネットワーク（RAN、Radio Access Network）を介して1つ以上のコアネットワークと通信することができる。ユーザ機器は、携帯電話（「セルラー」電話とも呼ばれる）などのモバイル端末、およびモバイル端末を有するコンピュータであってもよい。例えば、ユーザ機器は、無線アクセスネットワークと言語および／またはデータを交換する携帯型、ポケットサイズ、ハンドヘルド型、コンピュータ内蔵型、または車載型のモバイル装置であってもよい。
【００５９】
基地局は、GSM（登録商標）またはCDMAのトランシーバ基地局（BTS、Base Transceiver Station）であってもよく、WCDMA（登録商標）のノードB（Node B）であってもよく、LTEの進化型ノードB（eNBまたはe−NodeB、evolved Node B）であってもよい。これは、本発明では限定されない。
【００６０】
チャネルサウンディング情報は、アップリンク送信チャネルをサウンディングし、サウンディング結果を量子化することによってUEにより取得され、UEによって基地局に報告される。チャネルサウンディング情報は、CQIおよび／またはSRSを含む。チャネルサウンディング情報のフィードバックには、周期的フィードバックと非周期的フィードバックという2つのタイプがある。LTE規格では、周期的フィードバックの送信周期のパラメータの設定が規定されている。その後、UEは、送信周期に基づいてチャネルサウンディング情報を基地局に周期的に送信する。
【００６１】
本発明の実施形態で提供される技術的解決策では、送信周期が、物理層シグナリングを使用して動的に制御される。まず、複数の送信周期、例えば第1の周期および第2の周期が、RRC層における構成によって構成される。次に、LTE通信システムにおける物理層ダウンリンク送信制御シグナリングが規定され、規定されたダウンリンク送信制御シグナリングがUEに送信され、これにより、UEは、チャネルサウンディング情報の送信周期を動的に切り替えるように命令される。本発明の実施形態で提供される技術的解決策では、規格で規定された送信周期のパラメータが第1の周期に設定される。第1の周期に加えて、本発明の実施形態で提供される技術的解決策では、少なくとも1つの第2の周期が導入される。UEによってチャネルサウンディング情報を報告する送信周期は、少なくとも1つの第2の周期を使用して変更される。詳細な説明のために、1つの第1の周期および1つの第2の周期が一例として使用される。
【００６２】
本発明の実施形態の技術的解決策の主な実施原理および具体的な実施態様ならびにこれらによって達成され得る相応の有益な効果について、添付図面を参照して以下に詳細に説明する。
【００６３】
実施形態1
本発明の実施形態1は、チャネルサウンディング情報フィードバック方法を提供する。図1に示すように、具体的な処理手順は以下の通りである。
【００６４】
101：UEは、チャネルサウンディング情報を周期的に送信するために使用される報告周期の第1の周期を決定する。
【００６５】
101において、UEは、サービングセルのシステム情報を受信し、受信したシステム情報に基づいて、チャネルサウンディング情報の報告周期の第1の周期を構成する。第1の周期の長さおよび有効時間（有効時間はタイマのタイミング時間を使用して構成されてもよい）は、RRCシグナリングを使用して構成されてもよい。図2に示す構成時間系列の概略図において、第1の周期を構成する具体的な手順は以下の通りである。UEは、LTE通信システムにおいて基地局によって送信されるRRCシグナリングを受信する。UEは、RRC Connection Setupを受信することによってRRCシグナリングの構成を取得する。RRCシグナリングの構成を取得した後、UEは、第1の周期を決定する。RRCシグナリングは、周期的に変更されてもよいし、Pagingトリガ方法で変更されてもよい。各変更に関して、第1のModification Periodに変更通知（Change notification）が送信される必要があり、次に、第1の変更周期に近い次の周期にRRC構成が更新（Update）される。
【００６６】
LTE通信システムでは、チャネルサウンディング情報がCQIであり、UEがCQIの第1の周期を決定するとき、UEは、上位層情報、すなわちRRC Connection SetupおよびRRC Connection Reconfigurationを受信することによって第1の周期を構成する。UEによって受信される上位層情報は、CQI−Report Configコンテンツを含み、CQIの第1の周期を示すためには、CQI−ReportPeriodic．cqi−pmi−ConfigIndexが使用される。具体的には、一例としてFDD通信システムを使用すると、第1の周期は、以下の表1、すなわちCQI周期フィードバック構成表を使用して取得される。UEは、表1を検索し、以下の式1を満たすサブフレームで基地局にCQIをフィードバックする。
【数１】
2019500814.tif 000003
式1
【００６７】
式1において、nfは無線フレームの数を表すために使用され、nsは無線フレームにおけるタイムスロットの数を表す。第1の周期のフィードバックパラメータは、このメッセージが受信される無線フレームにおいて有効になる。
【００６８】
【表１】
2019500814.tif 000004
【００６９】
LTE通信システムでは、チャネルサウンディング情報がSRSであり、UEがSRSの第1の周期を決定するとき、UEは、基地局によって送信されるSIB2、RRC Connection Setup、およびRRC Connection Reconfigurationを受信することによって第1の周期を構成する。UEによって受信される上位層情報は、soundingRS−UL−ConfigDedicatedを含み、srs−ConfigIndeフィールドは、SRSを報告する第1の周期を示す。具体的には、一例としてFDDシステムを使用すると、SRSの第1の周期は、以下の表2を使用して取得される。UEは、表2を検索し、SRSを送信するために、以下の式2を満たすサブフレームを選択する。
（10・nf＋kSRS−Toffset）modTSRS＝0
式2
【００７０】
式2において、nfは無線フレームの数を表すために使用され、kSRS＝｛0，1，．．．，9｝である。第1の周期のパラメータは、このメッセージが受信される無線フレームにおいて有効になる。
【００７１】
【表２】
2019500814.tif 000005
【００７２】
任意選択的に、本方法は、以下のステップをさらに含む。
【００７３】
101’：UEは、チャネルサウンディング情報を周期的に送信するために使用される報告周期の第2の周期を決定する。
【００７４】
本発明の実施形態1で提供される技術的解決策では、チャネルサウンディング情報を周期的に送信するために使用される報告周期を決定するとき、UEは、第2の周期を決定してもよい。
【００７５】
第2の周期の構成情報は、第1の周期を示すために使用される指示情報を、これに限定されないが含んでもよいし、第1の周期の構成情報を含んでもよい。
【００７６】
第2の周期の構成情報は、以下の情報の少なくとも1つを含み、
第1に、第2の周期の構成情報は、第2の周期と第1の周期との間の差を示すために使用される情報を含み、
第2に、第2の周期の構成情報は、第1の周期と同じ情報を含み、
第3に、第2の周期の構成情報において、少なくとも1つのディジットが予約されてもよく、少なくとも1つのディジットは、送信周期が空（null）である場合を示すために使用される。
【００７７】
送信周期がnullであるとき、それは、周期が存在しないことを示す。
【００７８】
102：基地局は、予め設定されたDCIをUEに送信する。
【００７９】
基地局は、チャネルサウンディング情報を非周期的に報告するようにUEをトリガするために、予め設定されたDCIをUEに送信する。
【００８０】
103：UEは、基地局によって送信された予め設定されたDCIを受信する。
【００８１】
104：UEは、基地局によって送信された受信された予め設定されたDCIに基づいて、第1の周期を送信周期として使用してチャネルサウンディング情報を周期的に送信する。
【００８２】
実施形態101〜104において、UEは、基地局によって送信された受信された予め設定されたDCIに基づいて、第1の周期を送信周期として使用してチャネルサウンディング情報を周期的に送信する。UEは、第1の周期を送信周期として使用してチャネルサウンディング情報を周期的に送信するように、予め設定されたDCIによってトリガされる。
【００８３】
これに対応して、第1の周期を送信周期として使用してチャネルサウンディング情報を周期的に送信した後、UEは、第1の周期を送信周期として使用してチャネルサウンディング情報を周期的に送信することをさらに停止してもよい。具体的な実施態様は以下の通りである。
【００８４】
第1の実施態様：UEは、第1の周期を送信周期として使用してチャネルサウンディング情報を周期的に送信することを停止するように、受信された予め設定されたDCIに基づいてトリガされてもよい。具体的には、基地局は、実施のためにDCIを予め設定してもよい。
【００８５】
第1の実施態様では、UEは、受信された予め設定されたDCIの指示情報を確認する。指示情報が第1の周期を開始するために使用される情報であるとき、UEは、第1の周期を送信周期として使用してチャネルサウンディング情報を周期的に送信する。指示情報が第1の周期を終了するために使用される情報であるとき、UEは、第1の周期を送信周期として使用してチャネルサウンディング情報を周期的に送信することを停止する。
【００８６】
第2の実施態様：第1の周期に関連付けられた第1のタイマが実施のために設定される。
【００８７】
第2の実施態様では、第1の周期を送信周期として使用してチャネルサウンディング情報を周期的に送信する場合、UEは、第1の周期に関連付けられた第1のタイマを同時に起動する。第1のタイマが満了すると、UEは、第1の周期を送信周期として使用してチャネルサウンディング情報を周期的に送信することを停止する。
【００８８】
実施形態101〜104において、UEは、第1の周期を送信周期として使用してチャネルサウンディング情報を周期的に送信する。さらに、101’において、UEは、第2の周期を決定し、次に104において、具体的な実施時に、UEは、第1の周期および／または第2の周期を送信周期として使用してチャネルサウンディング情報を周期的に送信する。すなわち、UEが第1の周期および第2の周期を決定した場合、予め設定されたDCIを受信したら、UEは、第1の周期を送信周期として使用してチャネルサウンディング情報を周期的に送信してもよいし、第2の周期を送信周期として使用してチャネルサウンディング情報を周期的に送信してもよい。さらに、UEは、第1の周期および第2の周期を同時に送信周期として使用してチャネルサウンディング情報を周期的に送信してもよい。
【００８９】
任意選択的に、103の前に、本方法は、
UEによって、第1の周期を送信周期として使用してチャネルサウンディング情報を周期的に送信するステップであって、UEが予め設定されたDCIを受信したときに、UEによって、第2の周期を送信周期として使用してチャネルサウンディング情報を周期的に送信するように切り替える、ステップ
をさらに含んでもよい。
【００９０】
この方法では、UEが、基地局によって送信される予め設定されたDCIを受信しなかったとき、第1の周期を送信周期として使用してチャネルサウンディング情報を送信する。UEが基地局によって送信される予め設定されたDCIを受信したとき、UEは、第2の周期を送信周期として使用してチャネルサウンディング情報を周期的に送信するように切り替える。すなわち、UEによって受信された予め設定されたDCIは、第1の周期を終了し、第2の周期の開始をトリガする実施態様である。
【００９１】
さらに、第2の周期を使用して送信されるチャネルサウンディング情報は、第1の周期を使用して送信されるチャネルサウンディング情報と異なり、第2の周期を使用して送信されるチャネルサウンディング情報の優先度は、第1の周期を使用して送信されるチャネルサウンディング情報の優先度よりも高い。したがって、UEは、同じ瞬間に第1の周期および第2の周期を送信周期として別々に使用してチャネルサウンディング情報を送信する必要がある場合、UEは、その瞬間においては、第2の周期を送信周期として使用して第2の周期に対応するチャネルサウンディング情報を送信するように切り替える。
【００９２】
詳細な説明のために一例を使用する。第1の周期は3msであり、第2の周期は2msであるとする。0msからタイミングが開始され、UEは2msの倍数時にチャネルサウンディング情報を1回送信し、UEは3msの倍数時にチャネルサウンディング情報を1回送信する。6ミリ秒時に、UEは、2msの倍数を使用してチャネルサウンディング情報を送信する必要がある。さらに、6ミリ秒時に、UEはさらに、3msの倍数を使用してチャネルサウンディング情報を送信する必要がある。この場合、第2の周期を使用して送信されるチャネルサウンディング情報の優先度は、第1の周期を使用して送信されるチャネルサウンディング情報の優先度よりも高く、UEは、2msの倍数を使用してチャネルサウンディング情報を送信するように切り替える。6ミリ秒時にUEが3msの倍数を使用してチャネルサウンディング情報を送信する必要がある場合、UEは、3msの倍数を使用してチャネルサウンディング情報を送信することを停止してもよいし、UEは、3msの倍数を使用してチャネルサウンディング情報を送信することを遅延させてもよい。
【００９３】
第2の周期を使用して送信されるチャネルサウンディング情報の優先度は、第1の周期を使用して送信されるチャネルサウンディング情報の優先度よりも高い。具体的な実施時に、一方法では、優先度は、2つの周期で送信されるチャネルサウンディング情報の精度に基づいて決定されてもよい。例えば、第2の周期で送信されるチャネルサウンディング情報の精度は、第1の周期で送信されるチャネルサウンディング情報の精度よりも高い。第1の周期が3msであり、第2の周期が2msである例をさらに使用する。6ミリ秒時に、第2の周期を使用して送信されるチャネルサウンディング情報の優先度は、第1の周期を使用して送信されるチャネルサウンディング情報の優先度よりも高く、UEは、3msの倍数を使用してチャネルサウンディング情報を送信することを停止してもよい。このように、より精度の高いチャネルサウンディング情報を報告することができる。具体的な実施時に、別の方法では、優先度は、チャネルサウンディング情報の包括性に基づいて決定されてもよい。例えば、チャネルサウンディング情報がSRS情報である場合、フィードバックされるSRS情報の帯域幅が広いほど、SRS情報を送信する当該周期の優先度が高いことを示す。
【００９４】
上記の方法手順において、UEは、第1の周期および／または第2の周期を送信周期として使用してチャネルサウンディング情報を周期的に送信する。具体的な実施時に、UEは、受信された予め設定されたDCIの指示情報を確認する。指示情報は、第1の周期および／または第2の周期を示すために使用される。指示情報が、第1の周期および／または第2の周期を開始するために使用される情報であるとき、UEは、第1の周期および／または第2の周期を送信周期として使用してチャネルサウンディング情報を周期的に送信する。
【００９５】
本方法は、
指示情報がチャネルサウンディング情報のフィードバックを無効にするために使用され、UEが第2の周期を送信周期として使用しているとき、UEによって、第1の周期を送信周期として使用してチャネルサウンディング情報を周期的に送信するように復元するステップ
をさらに含んでもよい。
【００９６】
本方法は、
指示情報がチャネルサウンディング情報のフィードバックを無効にするために使用され、UEが第1の周期を送信周期として使用しているとき、UEによって、第1の周期を送信周期として使用してチャネルサウンディング情報を送信することを停止するステップ
をさらに含んでもよい。
【００９７】
本発明の実施形態1で提供される技術的解決策では、指示情報は、予め設定されたDCIのフィールドを使用して搬送され、予め設定されたDCIのフィールドは、以下の少なくとも1つ、すなわち、
A：DCIのダウンリンク割り当てインデックスDAIフィールド、
B：DCI Format 1A制御シグナリングのResource block assignmentフィールドであって、
予め設定されたDCIが、DCI Format 1A制御シグナリングのResource block assignmentフィールドであり、Resource block assignmentフィールドの値が、所定の値である場合、DCI Format 1A制御シグナリングのMCSフィールドの指定された位置情報が取得され、指定された位置情報が、指示情報として使用される、DCI Format 1A制御シグナリングのResource block assignmentフィールド、および
C：DCI Format 0および／またはDCI Format 4のCSI RequestフィールドおよびSRS Requestフィールド
の少なくとも1つを含む。
【００９８】
予め設定されたDCIがDCI Format 0および／またはDCI Format 4のCSI RequestフィールドおよびSRS Requestフィールドである場合、UEは、非周期的なチャネルサウンディング情報を1回トリガする。非周期的なチャネルサウンディング情報を送信した後、UEは、第1の周期および／または第2の周期を送信周期として使用してチャネルサウンディング情報を周期的に送信する。本発明の実施形態1で提供される技術的解決策では、チャネルサウンディング情報の周期的フィードバックの場合、周期的フィードバックおよび非周期的フィードバックのトリガバインディングが、上位層シグナリングを使用して構成されてもよい。上位層シグナリングを使用して構成することにより、非周期的なトリガ命令を受信したとき、UEは、非周期的フィードバック方法でチャネルサウンディング情報を報告することができる。このバインディング方法が上位層シグナリングで構成されない場合、SCI／SRS要求を受信した後、UEは、周期的なチャネルサウンディング情報をフィードバックしない。
【００９９】
本発明の実施形態1で提供される技術的解決策では、チャネルサウンディング情報の複数の異なる周期的フィードバックパラメータ（第1の周期および第2の周期など）が、LTE通信を規定するために、RRC層における構成によって構成される。
【０１００】
システムにおける物理層ダウンリンク送信制御シグナリングは、図3に示すように、チャネルサウンディング情報の周期的フィードバックの有効化、加速、低減、中断、および無効化などの機能を実施するために、物理層でのダウンリンク送信制御シグナリングの送信を使用して、UEに、チャネルサウンディング情報の送信周期を動的に切り替えるよう命令するために使用される。第2の周期のフィードバック周波数が第1の周期の周波数よりも高い場合、UEによってチャネルサウンディング情報のフィードバックを加速する効果が提示される。そうではなく、第2の周期のフィードバック周波数が第1の周期の周波数よりも低い場合、UEによってチャネルサウンディング情報のフィードバックを低減するフィードバック効果が提示される。第2の周期の周期が0と規定された場合、すなわち、情報がフィードバックされない場合、周期的フィードバックの中断効果が達成される。現在の第2の周期が第1の周期の周期的フィードバック間隔内に散在する場合、有効化および無効化などの効果が提示され、これにより、指示の周期的フィードバックを低減しながら、システムオーバーヘッドを低減することができ、構成応答を改善することができ、システムのスペクトル利用を改善することができる。
【０１０１】
実施形態2
本発明の実施形態2で提供される技術的解決策では、チャネルサウンディング情報がCQIまたはSRSである一例を使用して、チャネルサウンディング情報フィードバック方法をさらに説明する。図4に示すように、本方法の具体的な処理手順は以下の通りである。
【０１０２】
401：UEは、CQI／SRSを周期的に送信するために使用される報告周期の第1の周期および第2の周期を決定する。
【０１０３】
401の具体的な実施プロセスについては、実施形態1の101の詳細な説明を参照することとし、本発明の実施形態2では詳細は再度説明しない。
【０１０４】
402：UEは、第1の周期および／または第2の周期に関連付けられた複数のタイマ／1つのタイマを構成する。
【０１０５】
402において、UEは、基地局によって送信された受信されたシステム情報に基づいて第1のタイマを構成し、第1のタイマは第1の周期に関連付けられ、および／または
UEは、基地局によって送信された受信されたシステム情報に基づいて第2のタイマを構成し、第2のタイマは第2の周期に関連付けられる。
【０１０６】
本発明の実施形態2で提供される技術的解決策では、UEが基地局によって送信された受信されたシステム情報に基づいて第2のタイマを構成し、第2のタイマが第2の周期に関連付けられる一例が、詳細な説明のために使用される。具体的には、第1の周期に関連付けられた第1のタイマの実施は、第2の周期に関連付けられた第2のタイマの実施と同じであり、詳細は説明しない。
【０１０７】
UEが第2の周期を送信周期として使用してCQI／SRSを基地局に周期的にフィードバックするとき、関連する第2のタイマは、第2のタイマのタイミングが終了するまでタイミングを開始するために起動される。この時間の間、第2のタイマに対するトリガは、タイマをオフまたは再起動することができない。
【０１０８】
403：基地局は、予め設定されたDCIをUEに送信する。
【０１０９】
基地局は、CQI／SRSを非周期的に送信するようにUEをトリガするために、予め設定されたDCIをUEに送信する。
【０１１０】
404：UEは、予め設定されたDCIを受信する。
【０１１１】
405：UEは、CQI／SRSを基地局に非周期的にフィードバックする。
【０１１２】
406：UEは、CQI／SRSを基地局にフィードバックする現在の送信周期が第1の周期と同じであるかどうかを判定し、現在の送信周期が第1の周期と同じである場合は407を実行し、現在の送信周期が第1の周期と異なる場合は409を実行する。
【０１１３】
407：UEは、第2の周期を送信周期として使用してCQI／SRSを周期的に送信するように切り替え、第2の周期に関連付けられた第2のタイマを起動する。
【０１１４】
408：第2のタイマが満了してタイミングを終了すると、UEは、第1の周期を送信周期として使用してCQI／SRSを周期的に送信するように切り替える。
【０１１５】
409：UEは、CQI／SRSを周期的に送信するために現在の送信周期を維持し続ける。
【０１１６】
上記の方法手順では、第2の周期に関連付けられた第2のタイマが、詳細な説明のために一例として使用されている。具体的な実施時に、第1の周期に関連付けられた第1のタイマに関して、具体的な実施時に、UEが、第1の周期を送信周期として使用してチャネルサウンディング情報を周期的に送信することは、UEによって第1のタイマを起動し、第1のタイマが満了したときにUEによって、第1の周期を送信周期として使用してチャネルサウンディング情報を周期的に送信することを停止することを含む。
【０１１７】
本発明の実施形態2で提供される技術的解決策では、第1の周期、第2の周期、第1の周期に関連付けられた第1のタイマ、および第2の周期に関連付けられた第2のタイマが設定され、これにより、UEが、第2の周期を送信周期として使用してCQI／SRSを送信するように切り替えたとき、第2の周期に関連付けられた第2のタイマのタイミングが終了するまで、UEは、第1の周期を送信周期として使用してCQI／SRSを送信するように自動的に切り替えず、これにより、CQI／SRSの短周期的フィードバックがトリガされる。
【０１１８】
本発明の実施形態2で提供される技術的解決策では、第2の周期を送信周期として使用してUEによってCQI／SRSを送信する特定の実施と同じである、第1の周期を送信周期として使用してUEによってCQI／SRSを送信する特定の実施の部分は再度説明せず、UEが第2の周期を送信周期として使用してCQI／SRSを送信するようにトリガされる例のみが説明のために使用されている。
【０１１９】
実施形態3
本発明の実施形態3で提供される技術的解決策では、チャネルサウンディング情報がCQIまたはSRSである一例を使用して、チャネルサウンディング情報フィードバック方法をさらに説明する。図5に示すように、本方法の具体的な処理手順は以下の通りである。
【０１２０】
501：UEは、CQI／SRSを周期的に送信するために使用される報告周期の第1の周期および第2の周期を決定する。
【０１２１】
501の具体的な実施プロセスについては、実施形態1の101および101’の詳細な説明を参照することとし、本発明の実施形態3では詳細は再度説明しない。
【０１２２】
502：基地局は、予め設定されたDCIをUEに送信する。
【０１２３】
基地局は、CQI／SRSを非周期的に送信するようにUEをトリガするために、予め設定されたDCIをUEに送信する。
【０１２４】
予め設定されたDCIがDCIのダウンリンク割り当てインデックス（Downlink Assignment Index、DAI）フィールドであってもよい一例が、詳細な説明のために使用される。基地局は、ダウンリンク非共通基準シグナリングのDCIのダウンリンク割り当てインデックスフィールドを使用して、UEに、第2の周期を送信周期として使用してCQI／SRSを周期的に送信するよう命令してもよい。
【０１２５】
DCIのDAI位置がバンドルされたフィードバック肯定応答／否定応答（ACK／NACK）情報を示すために使用されることが規格で規定されている。このステップの具体的な実施時に、ACK／NACKが使用されないとき、基地局は、第2の周期を示すために使用される指示情報をDCIのDAI位置に追加してもよい。
【０１２６】
例えば、DAIフィールドの1ビット情報が、UEが第2の周期を送信周期として使用してCQI／SRSを周期的に送信することを有効または無効にするための指示シグナリングとして抽出されてもよい。具体的には、以下の表3に示すDAIフィールド指示シグナリングが一例として使用される。
【０１２７】
【表３】
2019500814.tif 000006
【０１２８】
503：UEは、基地局によって送信された予め設定されたDCIを受信する。
【０１２９】
504：UEは、DCIが、UEが第2の周期を送信周期として使用してCQI／SRSを周期的に送信することを有効または無効にするための指示情報を搬送しているかどうかを判定し、判定結果がはいである場合は505を実行し、判定結果がいいえである場合は処理をスキップする。
【０１３０】
UEは、基地局によって送信されたDCIを受信する。バンドルされたACK／NACKが受信されたDCIにおいて現在使用されていないことを検出した場合、UEは、DCIのDAIフィールドが、UEが第2の周期を送信周期として使用してCQI／SRSを周期的に送信することを有効または無効にするための指示シグナリングを搬送していると判定する。
【０１３１】
505：UEは、CQI／SRSを周期的に送信する送信周期が第1の周期であるかどうかを判定し、判定結果がはいである場合は506を実行し、判定結果がいいえである場合は507を実行する。
【０１３２】
506：UEが第1の周期を送信周期として使用している場合、UEは、第2の周期を送信周期として使用してCQI／SRSを周期的に送信するように切り替える。
【０１３３】
507：UEが第1の周期を送信周期として使用していない場合、UEは、CQI／SRSを周期的に送信する現在の送信周期を維持し続ける。
【０１３４】
505〜507において、UEが、バンドルされたフィードバックACK／NACKがダウンリンク制御チャネルで受信されたDCIにおいて現在使用されていないことを検出した場合、それは、DAIがCQI／SRSを周期的に送信するためのトリガ命令を現在搬送していることを示す。この場合、受信されたDAIフィールド情報が0であることが検出された場合、UEは、第1の周期を送信周期として使用してCQI／SRSを基地局に送信することを停止し、第2の周期を送信周期として使用してCQI／SRSを基地局に送信するように切り替える。受信されたDAIフィールド情報が1であることが検出された場合、UEは、第2の周期を送信周期として現在使用してCQI／SRSを基地局に周期的に送信することを停止し、第1の周期を送信周期として使用してCQI／SRSを基地局に周期的に送信するように復元する。
【０１３５】
実施形態3で提供される技術的解決策では、DCIのDAIフィールドで搬送される情報が、UEにチャネルサウンディング情報の送信周期を動的に切り替えるよう命令するように規定される。
【０１３６】
実施形態4
本発明の実施形態4で提供される技術的解決策では、チャネルサウンディング情報がCQIまたはSRSである一例を使用して、チャネルサウンディング情報フィードバック方法をさらに説明する。図6に示すように、本方法の具体的な処理手順は以下の通りである。
【０１３７】
601：UEは、CQI／SRSを周期的に送信するために使用される報告周期の第1の周期および第2の周期を決定する。
【０１３８】
601の具体的な実施プロセスについては、実施形態1の101の詳細な説明を参照することとし、本発明の実施形態4では詳細は再度説明しない。
【０１３９】
602：基地局は、予め設定されたDCIをUEに送信する。
【０１４０】
基地局は、CQI／SRSを非周期的に送信するようにUEをトリガするために、予め設定されたDCIをUEに送信する。
【０１４１】
基地局は、DCI Format 1A制御シグナリングを使用して、UEに、第2の周期を送信周期として使用してCQI／SRSを周期的に送信するよう命令してもよい。
【０１４２】
例えば、基地局は、DCI Format 1A制御シグナリングを使用して、UEが第2の周期を送信周期として使用してCQI／SRSを周期的に送信することを有効または無効にするよう命令してもよい。現在の制御シグナリングが、UEが第2の周期を送信周期として使用してCQI／SRSを周期的に送信することを有効または無効にするよう命令することができることをUEに示すために、DCIフォーマット1Aのリソースブロック割り当て（Resource block assignment）フィールドの未使用情報が規定される、例えば、この未使用情報はすべて0または1に設定される。
【０１４３】
本発明の実施形態4で提供される技術的解決策では、Format 1A制御シグナリングは十分な情報ビットを有する。任意のフィールドの1ビット情報が指示のために抽出されてもよい。例えば、表4に示すように、Format 1AのMCSフィールドの1ビット情報が指示のために抽出される。
【０１４４】
【表４】
2019500814.tif 000007
【０１４５】
603：UEは、基地局によって送信されたDCIを受信する。
【０１４６】
604：UEは、DCIが、UEが第2の周期を送信周期として使用してCQI／SRSを周期的に送信することを有効または無効にするための指示シグナリングを搬送しているかどうかを判定し、判定結果がはいである場合は605を実行し、判定結果がいいえである場合は処理をスキップする。
【０１４７】
例えば、ダウンリンク制御チャネルで受信されたDCI Format 1AのResource lock assignmentフィールドの情報がすべて0であることを検出した場合、UEは、この情報が、UEが第2の周期を送信周期として使用してCQI／SRSを周期的に送信することを有効または無効にするための指示シグナリングであると判定する。
【０１４８】
あるいは、Resource lock assignmentフィールドの情報は、すべて1にされ、UEが第2の周期を送信周期として使用してCQI／SRSを周期的に送信することを有効または無効にするための指示シグナリングとして使用されてもよい。
【０１４９】
605：UEは、DCI Format 1AのMCSフィールドの最初のビットの情報を検出し続ける。
【０１５０】
606：MCSフィールドの受信された最初のビットの情報が0である場合、UEは、第1の周期を送信周期として使用することを中止し、第2の周期を送信周期として使用してCQI／SRSを周期的に送信するように切り替える。
【０１５１】
607：MCSフィールドの受信された最初のビットの情報が1である場合、UEは、第2の周期を送信周期として使用することを中止し、第1の周期を送信周期として使用してCQI／SRSを周期的に送信するように切り替える。
【０１５２】
本発明の実施形態4で提供される技術的解決策では、DCIのDAIフィールドで搬送される情報が、UEにチャネルサウンディング情報の送信周期を動的に切り替えるよう命令するように規定される。
【０１５３】
実施形態5
上記の実施形態2〜4では、チャネルサウンディング情報がCQIまたはSRSである一例を使用して、チャネルサウンディング情報フィードバック方法の特定の実施手順が説明されている。本発明の実施形態5で提供される技術的解決策では、チャネルサウンディング情報がCQIおよびSRSである、すなわち、UEがCQIおよびSRSの両方を報告する一例を使用して、チャネルサウンディング情報フィードバック方法を詳細に説明する。本方法の具体的な処理手順は以下の通りである。
【０１５４】
第1に、UEは、CQIおよびSRSを周期的に送信するために使用される報告周期の第1の周期および第2の周期を決定する。
【０１５５】
第1のステップの具体的な実施プロセスについては、実施形態1の101の詳細な説明を参照することとし、本発明の実施形態5では詳細は再度説明しない。
【０１５６】
第2に、UEは、第2の周期に関連付けられたタイマを構成する。
【０１５７】
第2のステップでは、UEは、基地局によって送信された受信されたシステム情報に基づいてタイマを構成し、タイマは第2の周期に関連付けられる。
【０１５８】
UEが第2の周期を送信周期として使用してCQIおよびSRSを基地局に周期的にフィードバックするとき、タイマは、第2のタイマのタイミングが終了するまでタイミングを開始するために起動される。この時間の間、タイマに対するトリガは、タイマをオフまたは再起動することができない。
【０１５９】
第3に、基地局は、DCIをUEに送信する。
【０１６０】
基地局は、CQIおよびSRSを非周期的に送信するようにUEをトリガするために、DCIをUEに送信する。
【０１６１】
基地局は、DCI Format 0および／またはDCI Format 4のCQI requestフィールドおよびSRS requestフィールドを別々に使用して、UEに、第2の周期を送信周期として使用してCQIおよびSRSを周期的に送信するよう命令してもよい。
【０１６２】
例えば、一実施態様では、UEは、DCI Format 0に構成されたCQI requestフィールドおよびSRS requestフィールドを使用して、UEに、第2の周期を送信周期として使用してCQIおよびSRSを周期的に報告するよう命令してもよい。
【０１６３】
一実施態様では、UEは、DCI Format 4に構成されたCQI requestフィールドおよびSRS requestフィールドを使用して、UEに、第2の周期を送信周期として使用してCQIおよびSRSを周期的に報告するよう命令してもよい。
【０１６４】
例えば、一実施態様では、UEは、DCI Format 0に構成されたCQI requestフィールドおよびDCI Format 4に構成されたSRS requestフィールドを使用して、UEに、第2の周期を送信周期として使用してCQIおよびSRSを周期的に報告するよう命令してもよい。
【０１６５】
例えば、一実施態様では、UEは、DCI Format 4に構成されたCQI requestフィールドおよびDCI Format 0に構成されたSRS requestフィールドを使用して、UEに、第2の周期を送信周期として使用してCQIおよびSRSを周期的に報告するよう命令してもよい。
【０１６６】
第4に、UEはDCIを受信する。
【０１６７】
405：UEは、CQIおよびSRSを基地局に非周期的にフィードバックする。
【０１６８】
第6に、UEは、CQIおよびSRSを基地局にフィードバックする現在の送信周期が第1の周期と同じであるかどうかを判定し、現在の送信周期が第1の周期と同じである場合は第6のステップを実行し、現在の送信周期が第1の周期と異なる場合は第9のステップを実行する。
【０１６９】
第7に、UEは、第2の周期を送信周期として使用してCQIおよびSRSを周期的に送信するように切り替え、第2の周期に関連付けられたタイマを起動する。
【０１７０】
第8に、タイマが満了してタイミングを終了すると、UEは、第1の周期を送信周期として使用してCQIおよびSRSを周期的に送信するように切り替える。
【０１７１】
第9に、UEは、CQIおよびSRSを周期的に送信するために現在の送信周期を維持し続ける。
【０１７２】
本発明の実施形態5で提供される技術的解決策では、第1の周期、第2の周期、および第2の周期に関連付けられたタイマが設定され、これにより、UEが、第2の周期を送信周期として使用してCQIおよびSRSを送信するように切り替えたとき、第2の周期に関連付けられたタイマのタイミングが終了するまで、UEは、第1の周期を送信周期として使用してCQIおよびSRSを送信するように自動的に切り替えず、これにより、CQIおよびSRSの短周期的フィードバックがトリガされる。
【０１７３】
実施形態6
本発明の実施形態6で提供される技術的解決策では、チャネルサウンディング情報がCQIおよびSRSである一例を使用して、チャネルサウンディング情報フィードバック方法をさらに説明する。本方法の具体的な処理手順は以下の通りである。
【０１７４】
第1に、UEは、CQIおよびSRSを周期的に送信するために使用される報告周期の第1の周期および第2の周期を決定する。
【０１７５】
第1のステップの具体的な実施プロセスについては、実施形態1の101の詳細な説明を参照することとし、本発明の実施形態6では詳細は再度説明しない。
【０１７６】
第2に、基地局は、DCIをUEに送信する。
【０１７７】
基地局は、CQIおよびSRSを非周期的に送信するようにUEをトリガするために、DCIをUEに送信する。
【０１７８】
基地局は、ダウンリンク非共通基準シグナリングのDCIのダウンリンク割り当てインデックス（Downlink Assignment Index、DAI）フィールドを使用して、UEに、第2の周期を送信周期として使用してCQI／SRSを周期的に送信するよう命令してもよい。DCIのDAIがバンドルされたフィードバック肯定応答／否定応答（ACK／NACK）を搬送する場合、基地局は、第2の周期を示すために使用される指示情報をDAIフィールドに追加する。
【０１７９】
例えば、DAIフィールドの2ビット情報が、UEが第2の周期を送信周期として使用してCQIおよびSRSを周期的に送信することを有効または無効にするための指示シグナリングとして抽出されてもよい。具体的には、以下の表5に示すDAIフィールド指示シグナリングが一例として使用される。
【０１８０】
【表５】
2019500814.tif 000008
【０１８１】
第3に、UEは、基地局によって送信されたDCIを受信する。
【０１８２】
第4に、UEは、DCIが、UEが第2の周期を送信周期として使用してCQIおよびSRSを周期的に送信することを有効または無効にするための指示シグナリングを搬送しているかどうかを判定し、判定結果がはいである場合は705を実行し、判定結果がいいえである場合は処理をスキップする。
【０１８３】
UEは、基地局によって送信されたDCIを受信する。バンドルされたACK／NACKが受信されたDCIにおいて現在使用されていないことを検出した場合、UEは、DCIのDAIフィールドが、UEが第2の周期を送信周期として使用してCQIおよびSRSを周期的に送信することを有効または無効にするための指示シグナリングを搬送していると判定する。
【０１８４】
第5に、UEは、CQIおよびSRSを周期的に送信する送信周期が第1の周期であるかどうかを判定し、判定結果がはいである場合は506を実行し、判定結果がいいえである場合は507を実行する。
【０１８５】
第6に、UEが第1の周期を送信周期として使用している場合、UEは、第2の周期を送信周期として使用してCQIおよびSRSを周期的に送信するように切り替える。
【０１８６】
第7に、UEが第1の周期を送信周期として使用していない場合、UEは、CQIおよびSRSを周期的に送信する現在の送信周期を維持し続ける。
【０１８７】
第5のステップ〜第7のステップにおいて、UEが、バンドルされたフィードバックACK／NACKがダウンリンク制御チャネルで受信されたDCIにおいて現在使用されていないことを検出した場合、それは、DAIがCQIおよびSRSを周期的に送信するためのトリガ命令を現在搬送していることを示す。この場合、受信されたDAIフィールド情報が0であることが検出された場合、UEは、第1の周期を送信周期として使用してCQIおよびSRSを基地局に送信することを停止し、第2の周期を送信周期として使用してCQおよびSRSを基地局に送信するように切り替える。受信されたDAIフィールド情報が1であることが検出された場合、UEは、第2の周期を送信周期として現在使用してCQIおよびSRSを基地局に周期的に送信することを停止し、第1の周期を送信周期として使用してCQIおよびSRSを基地局に周期的に送信するように復元する。さらに、UEは、DAIフィールドで搬送される情報に基づいて、第2の周期を送信周期として使用してCQIおよびSRSを同時に周期的に送信するか、あるいは第2の周期を送信周期として使用してCQIおよびSRSを別々に周期的に送信するかを決定してもよい。
【０１８８】
実施形態6で提供される技術的解決策では、DCIのDAIフィールドで搬送される情報が、UEにチャネルサウンディング情報の送信周期を動的に切り替えるよう命令するように規定される。
【０１８９】
実施形態7
本発明の実施形態7で提供される技術的解決策では、チャネルサウンディング情報がCQIおよびSRSである一例を使用して、チャネルサウンディング情報フィードバック方法をさらに説明する。本方法の具体的な処理手順は以下の通りである。
【０１９０】
第1に、UEは、CQI／SRSを周期的に送信するために使用される報告周期の第1の周期および第2の周期を決定する。
【０１９１】
第1のステップの具体的な実施プロセスについては、実施形態1の101の詳細な説明を参照することとし、本発明の実施形態7では詳細は再度説明しない。
【０１９２】
第2に、基地局は、DCIをUEに送信する。
【０１９３】
基地局は、CQI／SRSを非周期的に送信するようにUEをトリガするために、DCIをUEに送信する。
【０１９４】
基地局は、DCI Format 1A制御シグナリングを使用して、UEに、第2の周期を送信周期として使用してCQIおよびSRSを周期的に送信するよう命令してもよい。
【０１９５】
例えば、基地局は、DCI Format 1A制御シグナリングを使用して、UEが第2の周期を送信周期として使用してCQIおよびSRSを周期的に送信することを有効または無効にするよう命令してもよい。現在の制御シグナリングが、UEが第2の周期を送信周期として使用してCQIおよびSRSを周期的に送信することを有効または無効にするよう命令することができることをUEに示すために、DCI Format 1AのResource block assignmentフィールドの未使用情報が規定される、例えば、この未使用情報はすべて0または1に設定される。本発明の実施形態7で提供される技術的解決策では、Format 1A制御シグナリングは十分な情報ビットを有する。任意のフィールドの2ビット情報が指示のために抽出されてもよい。例えば、表4に示すように、Format 1AのMCSフィールドの1ビット情報が指示のために抽出される。
【０１９６】
【表６】
2019500814.tif 000009
【０１９７】
第3に、UEは、基地局によって送信されたDCIを受信する。
【０１９８】
第4に、UEは、DCIが、UEが第2の周期を送信周期として使用してCQIおよびSRSを周期的に送信することを有効または無効にするための指示シグナリングを搬送しているかどうかを判定し、判定結果がはいである場合は第5のステップを実行し、判定結果がいいえである場合は処理をスキップする。
【０１９９】
例えば、ダウンリンク制御チャネルで受信されたDCI Format 1AのResource block assignmentフィールドの情報がすべて0であることを検出した場合、UEは、この情報が、UEが第2の周期を送信周期として使用してCQIおよびSRSを周期的に送信することを有効または無効にするための指示シグナリングであると判定する。
【０２００】
あるいは、Resource lock assignmentフィールドの情報は、すべて1にされ、UEが第2の周期を送信周期として使用してCQI／SRSを周期的に送信することを有効または無効にするための指示シグナリングとして使用されてもよい。
【０２０１】
第5に、UEは、DCI Format 1AのMCSフィールドの最初のビットの情報を検出し続ける。
【０２０２】
第6に、MCSフィールドの受信された最初のビットの情報が0である場合、UEは、第1の周期を送信周期として使用することを中止し、第2の周期を送信周期として使用してCQI／SRSを周期的に送信するように切り替える。
【０２０３】
第7に、MCSフィールドの受信された最初のビットの情報が1である場合、UEは、第2の周期を送信周期として使用することを中止し、第1の周期を送信周期として使用してCQI／SRSを周期的に送信するように切り替える。
【０２０４】
本発明の実施形態7で提供される技術的解決策では、DCIのDAIフィールドで搬送される情報が、UEにチャネルサウンディング情報の送信周期を動的に切り替えるよう命令するように規定される。
【０２０５】
実施形態8
本発明の実施形態8は、ユーザ機器を提供する。図7に示すように、ユーザ機器は、処理ユニット701およびトランシーバユニット702を含む。
【０２０６】
処理ユニット701は、チャネルサウンディング情報を周期的に報告するために使用される第1の周期を決定するように構成される。
【０２０７】
トランシーバユニット702は、基地局によって送信される予め設定されたダウンリンク制御情報DCIを受信するように構成される。
【０２０８】
処理ユニット701は、基地局によって送信された受信された予め設定されたダウンリンク制御情報DCIに基づいて、トランシーバユニット702を使用してUEによって、第1の周期を送信周期として使用してチャネルサウンディング情報を周期的に送信するようにさらに構成される。
【０２０９】
任意選択的に、処理ユニット701は、チャネルサウンディング情報を周期的に報告するために使用される第2の周期を決定し、トランシーバユニットを使用して、第1の周期および／または第2の周期を送信周期として使用してチャネルサウンディング情報を周期的に送信するようにさらに構成される。
【０２１０】
任意選択的に、処理ユニット701は、予め設定されたDCIが受信される前に、トランシーバユニットを使用して、第1の周期を送信周期として使用してチャネルサウンディング情報を周期的に送信し、予め設定されたDCIが受信された後、第2の周期を送信周期として使用してチャネルサウンディング情報を周期的に送信するように切り替えるようさらに構成される。
【０２１１】
第2の周期を使用して送信されるチャネルサウンディング情報の優先度は、第1の周期を使用して送信されるチャネルサウンディング情報の優先度よりも高い。処理ユニット701は、UEが、同じ瞬間に第1の周期および第2の周期を送信周期として別々に使用してチャネルサウンディング情報を送信する必要がある場合、その瞬間においては、第2の周期を送信周期として使用して第2の周期に対応するチャネルサウンディング情報を送信するようにUEによって切り替えるよう特に構成される。
【０２１２】
具体的には、処理ユニット701は、第1の周期に関連付けられた第1のタイマおよび／または第2の周期に関連付けられたタイマを構成するように構成される。
【０２１３】
具体的には、処理ユニット701は、第2のタイマを起動し、第2のタイマが満了したときに、第2の周期を送信周期として使用してチャネルサウンディング情報を周期的に送信することを停止し、第1の周期を送信周期として使用してチャネルサウンディング情報を周期的に送信するように復元するよう特に構成される。
【０２１４】
具体的には、処理ユニット701は、第1のタイマを起動し、第1のタイマが満了したときに、第1の周期を送信周期として使用してチャネルサウンディング情報を周期的に送信することを停止するように特に構成される。
【０２１５】
具体的には、処理ユニット701は、受信された予め設定されたDCIの指示情報を確認し、指示情報が、第1の周期および／または第2の周期を示すために使用され、指示情報が第1の周期および／または第2の周期を開始するために使用される情報であるとき、第1の周期および／または第2の周期を送信周期として使用してチャネルサウンディング情報を周期的に送信するように特に構成される。
【０２１６】
具体的には、処理ユニット701は、指示情報がチャネルサウンディング情報のフィードバックを無効にするために使用され、UEが第2の周期を送信周期として使用しているとき、第1の周期を送信周期として使用してチャネルサウンディング情報を周期的に送信するように復元するよう特に構成される。
【０２１７】
具体的には、処理ユニット701は、指示情報がチャネルサウンディング情報のフィードバックを無効にするために使用され、UEが第1の周期を送信周期として使用しているとき、第1の周期を送信周期として使用してチャネルサウンディング情報を送信することを停止するようにさらに構成される。
【０２１８】
トランシーバユニットによって受信される予め設定されたDCIは、DCIのダウンリンク割り当てインデックスDAIフィールド、DCIフォーマットのFormat 1A制御シグナリングのリソースブロック割り当てResource block assignmentフィールド、ならびにDCI Format 0および／またはDCI Format 4のCSI RequestフィールドおよびSRS Requestフィールドの少なくとも1つを含む。
【０２１９】
具体的には、処理ユニット701は、予め設定されたDCIがDCI Format 1A制御シグナリングのResource block assignmentフィールドであり、Resource block assignmentフィールドの値が所定の値である場合、DCI Format 1A制御シグナリングの変調・符号化方式MCSフィールドの指定された位置情報を取得し、指定された位置情報を指示情報として使用するように特に構成される。
【０２２０】
具体的には、処理ユニット701は、予め設定されたDCIがDCI Format 0および／またはDCI Format 4のCSI RequestフィールドおよびSRS Requestフィールドである場合、UEによって、非周期的なチャネルサウンディング情報を1回トリガし、非周期的なチャネルサウンディング情報が送信された後、UEによって、第1の周期および／または第2の周期を送信周期として使用してチャネルサウンディング情報を周期的に送信するように特に構成される。
【０２２１】
具体的には、トランシーバユニットを使用して処理ユニット701によって送信されるチャネルサウンディング情報は、チャネルサウンディング情報指標CQIおよび／またはチャネルサウンディング基準信号SRSを含む。
【０２２２】
これに対応して、本発明の一実施形態は、トランシーバおよびプロセッサを含むユーザ機器をさらに提供する。トランシーバの具体的な実施態様については、上記のトランシーバユニットの詳細な説明を参照することとし、ここでは詳細は再度説明しない。トランシーバは、インタフェースを含んでもよい。インタフェースは、有線インタフェースを備えたネットワーク・インタフェース・コントローラ（英語：network interface controller、略してNIC）（銅線および／またはファイバインタフェースを提供することができるイーサネット（登録商標）NICなど）ならびにワイヤレスインタフェースを備えたNIC（ワイヤレス・ローカル・エリア・ネットワーク（英語：wireless local area network、略してWLAN）NICなど）のうちの1つ以上であってもよい。
【０２２３】
ユーザ機器は、データおよびプログラムコードを格納するように構成されるメモリをさらに含んでもよい。メモリは、ランダム・アクセス・メモリ（英語：random access memory、略してRAM）などの揮発性メモリ（英語：volatile memory）、またはフラッシュメモリ（英語：flash memory）、ハード・ディスク・ドライブ（英語：hard disk drive、略してHDD）、もしくはソリッド・ステート・ドライブ（英語：solid−state drive、略してSSD）などの不揮発性メモリ（英語：non−volatile memory）、またはこれらのタイプのメモリの組み合わせであってもよい。
【０２２４】
プロセッサの具体的な実施態様については、上記の処理ユニットの詳細な説明を参照することとし、ここでは詳細は再度説明しない。プロセッサは、中央処理装置（英語：central processing unit、略してCPU）またはCPUとハードウェアチップとの組み合わせであってもよい。また、信号処理ユニットは、ネットワーク処理ユニット（英語：network processor、略してNP）、CPUとNPとの組み合わせ、またはNPとハードウェアチップとの組み合わせであってもよい。
【０２２５】
ハードウェアチップは、特定用途向け集積回路（英語：application−specific integrated circuit、略してASIC）、フィールド・プログラマブル・ゲート・アレイ（英語：field−programmable gate array、略してFPGA）、および複合プログラマブル・ロジック・デバイス（英語：complex programmable logic device、略してCPLD）のうちの1つまたはこれらの組み合わせであってもよい。
【０２２６】
これに対応して、本発明の実施形態9は、基地局をさらに提供する。図8に示すように、基地局は、処理ユニット81およびトランシーバユニット82を含む。
【０２２７】
処理ユニット81は、ダウンリンク制御情報DCIを予め設定し、トランシーバユニット82を使用して、予め設定されたダウンリンク制御情報DCIをユーザ機器UEに送信し、UEによって送信されるチャネルサウンディング情報を受信し、チャネルサウンディング情報が、第1の周期および／または第2の周期を送信周期として使用してUEによって周期的に送信され、第1の周期および第2の周期が、チャネルサウンディング情報を送信するためにUEによって使用される送信周期である、ように構成される。
【０２２８】
具体的には、処理ユニット81は、トランシーバユニット82を使用して、予め設定されたDCIをUEに送信し、予め設定されたDCIが、指示情報を含み、指示情報が、第1の周期および／または第2の周期を示すために使用される、ように特に構成される。
【０２２９】
具体的には、トランシーバユニット82によって送信される指示情報は、第1の周期および／または少なくとも1つの第2の周期を開始するために使用される情報ならびに第1の周期および／または少なくとも1つの第2の周期を終了するために使用される情報の1つを含む。
【０２３０】
予め設定されたDCIは、DCIのダウンリンク割り当てインデックスDAIフィールドを含む。具体的には、処理ユニット81は、予め設定されたDCIをUEに送信し、DCIのDAIフィールドがバンドルされたフィードバック肯定応答／否定応答ACK／NACKを搬送しないとき、基地局が、チャネルサウンディング情報のフィードバックを示すために使用される指示情報を搬送するようDAIフィールドを設定する、ように特に構成される。
【０２３１】
予め設定されたDCIは、DCIフォーマットのFormat 1A制御シグナリングのリソースブロック割り当てResource block assignmentフィールドを含む。処理ユニット81は、DCI Format 1A制御シグナリングのResource block assignmentフィールドの値を所定の値に設定し、DCI Format 1A制御シグナリングの変調・符号化方式MCSフィールドの指定されたビットの情報を設定し、所定の値および指定されたビットの情報が、第1の周期および／または第2の周期を示すための指示情報を示すために使用され、指示情報を搬送するDCI Format 1A制御シグナリングをUEに送信するように特に構成される。
【０２３２】
予め設定されたDCIは、DCI Format 0および／またはDCI Format 4のCSI RequestフィールドおよびSRS Requestフィールドを含む。処理ユニット81は、DCI Format 0および／またはDCI Format 4制御シグナリングのCSI RequestフィールドおよびSRS Requestフィールドを所定の値に設定し、所定の値が、第1の周期および／または第2の周期を示すための指示情報であり、指示情報を搬送するDCI Format 0および／またはDCI Format 4制御シグナリングをUEに送信するように特に構成される。
【０２３３】
具体的には、トランシーバユニット82によって受信されるチャネルサウンディング情報は、チャネルサウンディング情報指標CQIおよび／またはチャネルサウンディング基準信号SRSを含む。
【０２３４】
本発明のこの実施形態で提供される基地局において、トランシーバユニット82は、トランシーバを使用して実施されてもよく、このトランシーバは、インタフェースを含み、このインタフェースは、有線インタフェースを備えたNIC（銅線および／またはファイバインタフェースを提供することができるイーサネット（登録商標）NICなど）ならびにワイヤレスインタフェースを備えたNIC（WLAN NICなど）のうちの1つ以上であってもよい。
【０２３５】
本発明のこの実施形態で提供される基地局は、データおよびプログラムコードを格納するように構成されるメモリをさらに含んでもよい。
【０２３６】
メモリは、RAMなどのvolatile memory、またはflash memory、HDD、もしくはSSDなどのnon−volatile memory、またはこれらのタイプのメモリの組み合わせであってもよい。
【０２３７】
プロセッサの具体的な実施態様については、上記の処理ユニットの詳細な説明を参照することとし、ここでは詳細は再度説明しない。
【０２３８】
プロセッサは、CPUもしくはCPUとハードウェアチップとの組み合わせ、またはNPもしくはCPUとNPとの組み合わせ、またはNPとハードウェアチップとの組み合わせであってもよい。
【０２３９】
ハードウェアチップは、ASIC、FPGA、およびCPLDのうちの1つまたはこれらの組み合わせであってもよい。
【０２４０】
当業者は、本発明の実施形態が、方法、装置（デバイス）、またはコンピュータプログラム製品として提供され得ることを理解すべきである。したがって、本発明は、ハードウェアのみの実施形態、ソフトウェアのみの実施形態、またはソフトウェアとハードウェアとを組み合わせた実施形態の形態を使用することができる。さらに、本発明は、コンピュータ使用可能プログラムコードを含む1つ以上のコンピュータ使用可能記憶媒体（ディスクメモリ、コンパクトディスク読み出し専用メモリ、および光メモリなどを含むが、これらに限定されない）で実施されるコンピュータプログラム製品の形態を使用することができる。
【０２４１】
本発明は、本発明の実施形態による方法、装置（デバイス）、およびコンピュータプログラム製品のフローチャートおよび／またはブロック図を参照して説明されている。フローチャートおよび／またはブロック図の各プロセスおよび／または各ブロックならびにフローチャートおよび／またはブロック図のプロセスおよび／またはブロックの組み合わせを実施するためにコンピュータプログラム命令を使用することができることを理解されたい。これらのコンピュータプログラム命令は、マシンを作るために汎用コンピュータ、専用コンピュータ、組み込みプロセッサ、または任意の他のプログラマブルデータ処理デバイスに提供することができ、これにより、コンピュータまたは任意の他のプログラマブルデータ処理デバイスによって実行される命令は、フローチャートの1つ以上のプロセスおよび／またはブロック図の1つ以上のブロックにおける特定の機能を実施するための装置を作る。
【０２４２】
また、これらのコンピュータプログラム命令は、コンピュータまたは任意の他のプログラマブルデータ処理デバイスに特定の仕方で動作するよう命令することができるコンピュータ可読メモリに格納されてもよく、これにより、コンピュータ可読メモリに格納された命令は、命令装置を含む人工物を作る。命令装置は、フローチャートの1つ以上のプロセスおよび／またはブロック図の1つ以上のブロックにおける特定の機能を実施する。
【０２４３】
また、これらのコンピュータプログラム命令は、一連の動作およびステップがコンピュータまたは別のプログラマブルデバイス上で実行されるようにコンピュータまたは別のプログラマブルデータ処理デバイスにロードされ、これにより、コンピュータ実施処理が行われてもよい。したがって、コンピュータまたは別のプログラマブルデバイス上で実行される命令は、フローチャートの1つ以上のプロセスおよび／またはブロック図の1つ以上のブロックにおける特定の機能を実施するためのステップを提供する。
【０２４４】
本発明のいくつかの好ましい実施形態について説明したが、当業者は、基本的な発明概念を習得したら、これらの実施形態を変更および修正することができる。したがって、添付の特許請求の範囲は、本発明の範囲内に含まれる好ましい実施形態ならびにすべての変更および修正を包含すると解釈されることを意図されている。
【０２４５】
明らかに、当業者は、本発明の精神および範囲から逸脱することなく、本発明に対して様々な修正および変形を行うことができる。本発明は、添付の特許請求の範囲およびその均等な技術によって規定される保護範囲内に含まれるならば、これらの修正および変形を包含することを意図されている。
【符号の説明】
【０２４６】
81  処理ユニット
82  トランシーバユニット
701  処理ユニット
702  トランシーバユニット
【図１】
2019500814.tif 000010
【図２】
2019500814.tif 000011
【図３】
2019500814.tif 000012
【図４】
2019500814.tif 000013
【図５】
2019500814.tif 000014
【図６】
2019500814.tif 000015
【図７】
2019500814.tif 000016
【図８】
2019500814.tif 000017
【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
チャネルサウンディング情報送信方法であって、
ユーザ機器（UE）によって、第1のチャネルサウンディング情報を周期的に送信するために使用される第1の周期を決定するステップと、
前記UEによって、基地局によって送信される第1の指示情報を受信するステップと、
前記第1の指示情報に従って、前記UEによって、前記第1の周期を送信周期として使用して前記第1のチャネルサウンディング情報を周期的に送信するステップと
を含み、
前記第1の指示情報が、ダウンリンク制御情報（DCI）によって搬送される、
チャネルサウンディング情報送信方法。
【請求項２】
前記UEによって、第2のチャネルサウンディング情報を周期的に送信するために使用される第2の周期を決定するステップ、および
前記UEによって、前記第2の周期を送信周期として使用して前記第2のチャネルサウンディング情報を周期的に送信するように切り替えるステップ、または
前記UEによって、前記第2の周期を送信周期として使用して前記第2のチャネルサウンディング情報を周期的に送信するステップ
をさらに含む、請求項1に記載の方法。
【請求項３】
前記第1の指示情報が、前記第2の周期を送信周期として使用して前記第2のチャネルサウンディング情報を周期的に送信するように切り替えるよう前記UEに示すために使用されるか、または
前記第1の指示情報が、前記第1の周期を送信周期として使用して前記第1のチャネルサウンディング情報を周期的に送信するように、および／もしくは前記第2の周期を送信周期として使用して前記第2のチャネルサウンディング情報を周期的に送信するように前記UEに示すために使用される、
請求項2に記載の方法。
【請求項４】
前記UEによって、前記基地局によって送信される第2の指示情報を受信するステップと、
前記第2の指示情報が、チャネルサウンディング情報を報告することを無効にするために使用され、前記UEが、前記第1のチャネルサウンディング情報を周期的に送信するために前記第1の周期を送信周期として使用しているときに、前記UEによって、前記第1の周期を送信周期として使用して前記第1のチャネルサウンディング情報を送信することを停止するステップと
をさらに含む、
請求項1から3のいずれか一項に記載の方法。
【請求項５】
前記指示情報が、前記DCIのフィールドを使用して搬送され、
前記DCIの前記フィールドが、
前記DCIのリソースブロック割り当てフィールド、および
前記DCIの変調・符号化方式（MCS）フィールドの指定された位置情報
の少なくとも1つを含み、前記DCIのリソースブロック割り当てフィールドの値が、所定の値である、
請求項1から4のいずれか一項に記載の方法。
【請求項６】
前記DCIが、予め設定されたDCIである、請求項1から5のいずれか一項に記載の方法。
【請求項７】
前記第2のチャネルサウンディング情報が、チャネル品質情報指標（CQI）および／またはチャネルサウンディング基準信号（SRS）を含む、請求項2または3に記載の方法。
【請求項８】
前記第1のチャネルサウンディング情報が、チャネル品質情報指標（CQI）および／またはチャネルサウンディング基準信号（SRS）を含む、請求項1から7のいずれか一項に記載の方法。
【請求項９】
チャネルサウンディング情報受信方法であって、
基地局によって、第1の指示情報をユーザ機器（UE）に送信するステップであって、前記第1の指示情報が、ダウンリンク制御情報（DCI）によって搬送される、ステップと、
前記基地局によって、前記第1の指示情報によってトリガされる第1の周期を用いて前記UEによって周期的に送信される第1のチャネルサウンディング情報を受信するステップと
を含む、チャネルサウンディング情報受信方法。
【請求項１０】
前記基地局によって、第2の周期を用いて前記UEによって周期的に送信される第2のチャネルサウンディング情報を受信するステップ
をさらに含む、請求項9に記載の方法。
【請求項１１】
前記第1の指示情報が、前記第2の周期を送信周期として使用して前記第2のチャネルサウンディング情報を周期的に送信するように切り替えるよう前記UEに示すために使用されるか、または
前記第1の指示情報が、前記第1の周期を送信周期として使用して前記第1のチャネルサウンディング情報を周期的に送信するように、および／もしくは前記第2の周期を送信周期として使用して前記第2のチャネルサウンディング情報を周期的に送信するように前記UEに示すために使用される、
請求項10に記載の方法。
【請求項１２】
前記基地局によって、第2の指示情報を前記UEに送信するステップであって、前記第2の指示情報が、チャネルサウンディング情報を報告することを無効にするために使用される、ステップ
をさらに含む、請求項9から11のいずれか一項に記載の方法。
【請求項１３】
前記指示情報が、前記DCIのフィールドを使用して搬送され、前記DCIの前記フィールドが、
前記DCIのリソースブロック割り当てフィールド、および
前記DCIの変調・符号化方式（MCS）フィールドの指定された位置情報の少なくとも1つを含み、前記DCIのリソースブロック割り当てフィールドの値が、所定の値である、
請求項9から12のいずれか一項に記載の方法。
【請求項１４】
前記DCIが、予め設定されたDCIである、請求項9から13のいずれか一項に記載の方法。
【請求項１５】
前記第2のチャネルサウンディング情報が、チャネル品質情報指標（CQI）および／またはチャネルサウンディング基準信号（SRS）を含む、請求項10または11に記載の方法。
【請求項１６】
前記第1のチャネルサウンディング情報が、チャネル品質情報指標（CQI）および／またはチャネルサウンディング基準信号（SRS）を含む、請求項9から15のいずれか一項に記載の方法。
【請求項１７】
ユーザ機器（UE）であって、
第1のチャネルサウンディング情報を周期的に送信するために使用される第1の周期を決定するように構成される処理ユニットと、
基地局によって送信される第1の指示情報を受信し、前記第1の指示情報をに従って、前記第1の周期を送信周期として使用して前記第1のチャネルサウンディング情報を周期的に送信するように構成されるトランシーバユニットと
を備え、
前記第1の指示情報が、ダウンリンク制御情報（DCI）によって搬送される、
ユーザ機器。
【請求項１８】
前記処理ユニットが、第2のチャネルサウンディング情報を周期的に送信するために使用される第2の周期を決定するようにさらに構成され、および
前記処理ユニットが、前記第2の周期を送信周期として使用して前記第2のチャネルサウンディング情報を周期的に送信するように切り替えるようさらに構成されるか、または
前記トランシーバユニットが、第2の周期を送信周期として使用して前記第2のチャネルサウンディング情報を周期的に送信するように構成される、
請求項17に記載のユーザ機器。
【請求項１９】
前記第1の指示情報が、前記第2の周期を送信周期として使用して前記第2のチャネルサウンディング情報を周期的に送信するように切り替えるよう前記UEに示すために使用されるか、または
前記第1の指示情報が、前記第1の周期を送信周期として使用して前記第1のチャネルサウンディング情報を周期的に送信するように、および／もしくは前記第2の周期を送信周期として使用して前記第2のチャネルサウンディング情報を周期的に送信するように前記UEに示すために使用される、
請求項18に記載のユーザ機器。
【請求項２０】
前記トランシーバユニットが、前記基地局によって送信される第2の指示情報を受信するように構成され、
前記第2の指示情報が、チャネルサウンディング情報を報告することを無効にするために使用され、前記UEが、前記第1のチャネルサウンディング情報を周期的に送信するために前記第1の周期を送信周期として使用しているときに、前記処理ユニットが、前記第1の周期を送信周期として使用して前記第1のチャネルサウンディング情報を送信する前記トランシーバユニットを停止するように構成される、
請求項17から19のいずれか一項に記載のユーザ機器。
【請求項２１】
前記指示情報が、前記DCIのフィールドを使用して搬送され、前記DCIの前記フィールドが、
前記DCIのリソースブロック割り当てフィールド、および
前記DCIの変調・符号化方式（MCS）フィールドの指定された位置情報の少なくとも1つを含み、前記DCIのリソースブロック割り当てフィールドの値が、所定の値である、
請求項17から20のいずれか一項に記載のユーザ機器。
【請求項２２】
前記DCIが、予め設定されたDCIである、請求項17から21のいずれか一項に記載のユーザ機器。
【請求項２３】
前記第2のチャネルサウンディング情報が、チャネル品質情報指標（CQI）および／またはチャネルサウンディング基準信号（SRS）を含む、請求項18または19に記載のユーザ機器。
【請求項２４】
前記第1のチャネルサウンディング情報が、チャネル品質情報指標（CQI）および／またはチャネルサウンディング基準信号（SRS）を含む、請求項17から23のいずれか一項に記載のユーザ機器。
【請求項２５】
処理ユニットおよびトランシーバユニットを備える基地局であって、
前記トランシーバユニットが、ダウンリンク制御情報（DCI）によって搬送される第1の指示情報をユーザ機器（UE）に送信し、前記第1の指示情報によってトリガされる第1の周期を用いて前記UEによって周期的に送信される第1のチャネルサウンディング情報を受信するように構成される、基地局。
【請求項２６】
前記トランシーバユニットが、第2の周期を用いて前記UEによって周期的に送信される第2のチャネルサウンディング情報を受信するようにさらに構成される、
請求項25に記載の基地局。
【請求項２７】
前記第1の指示情報が、前記第2の周期を送信周期として使用して前記第2のチャネルサウンディング情報を周期的に送信するように切り替えるよう前記UEに示すために使用されるか、または
前記第1の指示情報が、前記第1の周期を送信周期として使用して前記第1のチャネルサウンディング情報を周期的に送信するように、および／もしくは前記第2の周期を送信周期として使用して前記第2のチャネルサウンディング情報を周期的に送信するように前記UEに示すために使用される、
請求項26に記載の基地局。
【請求項２８】
前記トランシーバユニットが、チャネルサウンディング情報を報告することを無効にするために使用される第2の指示情報を前記UEに送信するように構成される、
請求項25から27のいずれか一項に記載の基地局。
【請求項２９】
前記指示情報が、前記DCIのフィールドを使用して搬送され、前記DCIの前記フィールドが、
前記DCIのリソースブロック割り当てフィールド、および
前記DCIの変調・符号化方式（MCS）フィールドの指定された位置情報の少なくとも1つを含み、前記DCIのリソースブロック割り当てフィールドの値が、所定の値である、請求項25から28のいずれか一項に記載の基地局。
【請求項３０】
前記DCIが、予め設定されたDCIである、請求項25から29のいずれか一項に記載の基地局。
【請求項３１】
前記第2のチャネルサウンディング情報が、チャネル品質情報指標（CQI）および／またはチャネルサウンディング基準信号（SRS）を含む、請求項26または27に記載の基地局。
【請求項３２】
前記第1のチャネルサウンディング情報が、チャネル品質情報指標（CQI）および／またはチャネルサウンディング基準信号（SRS）を含む、請求項25から31のいずれか一項に記載の基地局。
【請求項３３】
ユーザ機器であって、
第1のチャネルサウンディング情報を周期的に送信するために使用される第1の周期を決定するように構成されるプロセッサと、
基地局によって送信される第1の指示情報を受信し、前記第1の指示情報に従って、前記第1の周期を送信周期として使用して前記第1のチャネルサウンディング情報を周期的に送信するように構成されるトランシーバと
を備え、
前記第1の指示情報が、ダウンリンク制御情報（DCI）によって搬送される、ユーザ機器。
【請求項３４】
プロセッサおよびトランシーバを備える基地局であって、
前記トランシーバが、ダウンリンク制御情報（DCI）によって搬送される第1の指示情報をユーザ機器（UE）に送信し、前記第1の指示情報によってトリガされる第1の周期を用いて前記UEによって周期的に送信される第1のチャネルサウンディング情報を受信するように構成される、基地局。
【請求項３５】
コンピュータによって実行されたときに、前記コンピュータに、請求項1から8のいずれか一項に記載の方法または請求項9から16のいずれか一項に記載の方法を実行させる命令を含むコンピュータ可読媒体。
【請求項３６】
コンピュータに、請求項1から8のいずれか一項に記載の方法または請求項9から16のいずれか一項に記載の方法を実施させるプログラム。
【手続補正２】
【補正対象書類名】明細書
【補正対象項目名】００５１
【補正方法】変更
【補正の内容】
【００５１】
第5の態様によれば、トランシーバおよびプロセッサを含むユーザ機器が提供される。トランシーバは、上記のトランシーバユニットの機能を実施することができ、トランシーバは、インタフェースを含む。プロセッサは、上記の処理ユニットの機能を実施することができる。詳細は再度説明しない。
【手続補正３】
【補正対象書類名】明細書
【補正対象項目名】０１００
【補正方法】変更
【補正の内容】
【０１００】
システムにおける物理層ダウンリンク送信制御シグナリングは、図3に示すように、チャネルサウンディング情報の周期的フィードバックの有効化、加速、低減、中断、および無効化などの機能を実施するために、物理層でのダウンリンク送信制御シグナリングの送信を使用して、UEに、チャネルサウンディング情報の送信周期を動的に切り替えるよう命令するために使用される。第2の周期のフィードバック周波数が第1の周期のフィードバック周波数よりも高い場合、UEによってチャネルサウンディング情報のフィードバックを加速する効果が提示される。そうではなく、第2の周期のフィードバック周波数が第1の周期のフィードバック周波数よりも低い場合、UEによってチャネルサウンディング情報のフィードバックを低減するフィードバック効果が提示される。第2の周期の周期が0と規定された場合、すなわち、情報がフィードバックされない場合、周期的フィードバックの中断効果が達成される。現在の第2の周期が第1の周期の周期的フィードバック間隔内に散在する場合、有効化および無効化などの効果が提示され、これにより、指示の周期的フィードバックを低減しながら、システムオーバーヘッドを低減することができ、構成応答を改善することができ、システムのスペクトル利用を改善することができる。
【手続補正４】
【補正対象書類名】明細書
【補正対象項目名】０１８２
【補正方法】変更
【補正の内容】
【０１８２】
第4に、UEは、DCIが、UEが第2の周期を送信周期として使用してCQIおよびSRSを周期的に送信することを有効または無効にするための指示シグナリングを搬送しているかどうかを判定し、判定結果がはいである場合は第5のステップを実行し、判定結果がいいえである場合は処理をスキップする。
【手続補正５】
【補正対象書類名】明細書
【補正対象項目名】０１８４
【補正方法】変更
【補正の内容】
【０１８４】
第5に、UEは、CQIおよびSRSを周期的に送信する送信周期が第1の周期であるかどうかを判定し、判定結果がはいである場合は第6のステップを実行し、判定結果がいいえである場合は第7のステップを実行する。
【手続補正６】
【補正対象書類名】明細書
【補正対象項目名】０１８７
【補正方法】変更
【補正の内容】
【０１８７】
第5のステップ〜第7のステップにおいて、UEが、バンドルされたフィードバックACK／NACKがダウンリンク制御チャネルで受信されたDCIにおいて現在使用されていないことを検出した場合、それは、DAIがCQIおよびSRSを周期的に送信するためのトリガ命令を現在搬送していることを示す。この場合、受信されたDAIフィールド情報が0であることが検出された場合、UEは、第1の周期を送信周期として使用してCQIおよびSRSを基地局に送信することを停止し、第2の周期を送信周期として使用してCQIおよびSRSを基地局に送信するように切り替える。受信されたDAIフィールド情報が1であることが検出された場合、UEは、第2の周期を送信周期として現在使用してCQIおよびSRSを基地局に周期的に送信することを停止し、第1の周期を送信周期として使用してCQIおよびSRSを基地局に周期的に送信するように復元する。さらに、UEは、DAIフィールドで搬送される情報に基づいて、第2の周期を送信周期として使用してCQIおよびSRSを同時に周期的に送信するか、あるいは第2の周期を送信周期として使用してCQIおよびSRSを別々に周期的に送信するかを決定してもよい。
【手続補正７】
【補正対象書類名】明細書
【補正対象項目名】０１９５
【補正方法】変更
【補正の内容】
【０１９５】
例えば、基地局は、DCI Format 1A制御シグナリングを使用して、UEが第2の周期を送信周期として使用してCQIおよびSRSを周期的に送信することを有効または無効にするよう命令してもよい。現在の制御シグナリングが、UEが第2の周期を送信周期として使用してCQIおよびSRSを周期的に送信することを有効または無効にするよう命令することができることをUEに示すために、DCI Format 1AのResource block assignmentフィールドの未使用情報が規定される、例えば、この未使用情報はすべて0または1に設定される。本発明の実施形態7で提供される技術的解決策では、Format 1A制御シグナリングは十分な情報ビットを有する。任意のフィールドの2ビット情報が指示のために抽出されてもよい。例えば、表4に示すように、Format 1AのMCSフィールドの2ビット情報が指示のために抽出される。
【国際調査報告】
2019500814.tif 000018
2019500814.tif 000019
2019500814.tif 000020
2019500814.tif 000021